(57)【要約】【課題】  体重データ及び体脂肪量データ等のような測定データを当該測定データの量に応じ、携帯型電話器４０ａ等のテンキー部１６２により入力することなくデータセンタ側サーバ７０へ高速に送信が可能であり、伝送装置側記録部３０とサーバ側記録部８８との間で測定データの不連続が発生した場合であっても当該不連続を容易に修復することができる測定データ管理システム等を提供する。【解決手段】  差分データの量が所定のデータ量以下の場合はＵＲＬパラメータを用いて測定データを送信する。差分データの量が所定のデータ量より大きい場合は測定データをキーシュミレーションしながら表示部１６０に表示しつつ送信する。所定の時間単位としての連続性が有るか否かを判断する測定データ連続性判断部をデータセンタ側サーバ７０に設け、連続性が無いと判断された場合、伝送装置側記録部３０に記録された測定データをすべてサーバ側記録部８８へ送信させる。【選択図】  図１
2005039782.tif 000002
【特許請求の範囲】
【請求項１】
ネットワークを介して集積された測定データの管理を行う測定データ管理システムであって、該測定データは所定の時間単位で連続して測定されたものであり、
第１の期間の測定データを記録した測定器側記録部を有するデータ測定器と、
前記データ測定器と脱着可能に接続されたデータ伝送装置であって第１の期間以上の第２の期間の測定データを記録した伝送装置側記録部を有するものと、
前記データ伝送装置と脱着可能に接続され該ネットワークに接続可能な携帯型電話器と、
前記携帯型電話器と該ネットワークを介して接続され第２の期間以上の第３の期間の測定データを記録したサーバ側記録部を有するデータセンタ側サーバとを備え、前記伝送装置側記録部は所定の形式に基づく該データセンタ側サーバの識別子をさらに記録しており、
前記データ伝送装置は、
前記データ測定器の測定器側記録部に記録された第１の期間の測定データを取出す測定データ取出手段と、
前記測定データ取出手段で取出された第１の期間の測定データと、伝送装置側記録部に記録された第２の期間の測定データとに基づいて、新たに測定された測定データを差分データとして抽出する差分データ抽出手段と、
前記差分データ抽出手段で抽出された差分データの量が、前記携帯型電話器から前記ネットワークを介して前記所定の形式により送信可能な所定のデータ量以下であるかどうかを判断するデータ量判断手段と、
前記データ量判断手段で差分データの量が所定のデータ量以下であると判断された場合、前記所定の形式に基づいて、前記伝送装置側記録部に記録されたデータセンタ側サーバの識別子と差分データと所定のパスワードとを含むアクセス情報を作成するアクセス情報作成手段と、
前記アクセス情報作成手段で作成されたアクセス情報を前記携帯型電話器へ転送するアクセス情報転送手段と
を備え、
前記携帯型電話器は、
前記アクセス情報転送手段で転送されたアクセス情報を、前記所定の形式に基づいて前記ネットワークを介して前記データセンタ側サーバへ送信するアクセス情報送信手段と、
前記データセンタ側サーバから送信された所定の受付完了情報を表示部に表示する受付完了情報表示手段と
を備え、
前記データセンタ側サーバは、
前記アクセス情報送信手段で送信されたアクセス情報に含まれる所定のパスワードに基づき認証を行う認証手段と、
前記認証手段で認証された場合、前記サーバ側記録部に記録された第３の期間の測定データの最後の前記所定の時間単位の測定データと、前記アクセス情報送信手段で送信されたアクセス情報に含まれる差分データの最初の前記所定の時間単位の測定データとの間に、前記所定の時間単位としての連続性が有るか否かを判断する測定データ連続性判断手段と、
前記測定データ連続性判断手段で前記所定の時間単位としての連続性が有ると判断された場合、所定の受付完了情報を前記ネットワークを介して前記携帯型電話器へ送信する受付完了情報送信手段と
を備えたことを特徴とする測定データ管理システム。
【請求項２】
請求項１記載の測定データ管理システムにおいて、
前記データ量判断手段で差分データの量が所定のデータ量を超えると判断された場合、
前記データ伝送装置は、
前記所定の形式に基づいて、前記伝送装置側記録部に記録されたデータセンタ側サーバの識別子と第２の期間の測定データの送信を行うことが設定されたデータ量識別子と所定のパスワードとを含む大データ量時アクセス情報を作成する大データ量時アクセス情報作成手段と、
前記大データ量時アクセス情報作成手段で作成された大データ量時アクセス情報を前記携帯型電話器へ転送する大データ量時アクセス情報転送手段と、
所定の制御入力に基づき、伝送装置側記録部に記録された第２の期間の測定データを前記所定の時間単位毎に前記携帯型電話器へ転送する大データ量時測定データ転送手段と
をさらに備え、
前記携帯型電話器は、
前記大データ量時アクセス情報転送手段で転送された大データ量時アクセス情報を前記ネットワークを介して前記データセンタ側サーバへ送信する大データ量時アクセス情報送信手段と、
前記データセンタ側サーバから送信された第２の期間の測定データの入力を促す大データ量時入力画面情報を表示部に表示する大データ量時入力画面情報表示手段と、
前記大データ量時測定データ転送手段で転送された前記所定の時間単位毎の第２の期間の測定データを、前記大データ量時入力画面情報に従い前記所定の時間単位毎に、前記ネットワークを介して前記データセンタ側サーバへ送信する大データ量時測定データ送信手段と、
前記データセンタ側サーバから送信された所定の大データ量時測定データ受付完了情報を表示部に表示する大データ量時測定データ受付完了情報表示手段と
をさらに備え、
前記データセンタ側サーバは、
前記大データ量時アクセス情報送信手段で送信された大データ量時アクセス情報に含まれる所定のパスワードに基づき認証を行う大データ量時認証手段と、
前記大データ量時認証手段で認証された場合、第２の期間の測定データの入力を促す前記大データ量時入力画面情報を前記携帯型電話器へ送信する大データ量時入力画面情報送信手段と、
前記大データ量時測定データ送信手段で送信された前記所定の時間単位毎の第２の期間の測定データをすべて受信した後、所定の大データ量時測定データ受付完了情報を前記携帯型電話器へ送信する大データ量時測定データ受付完了情報送信手段と
をさらに備えたことを特徴とする測定データ管理システム。
【請求項３】
請求項１または２記載の測定データ管理システムにおいて、
前記測定データ連続性判断手段で前記所定の時間単位としての連続性が無いと判断された場合、
前記データセンタ側サーバは、
第２の期間の測定データの入力を促すデータ不連続時入力画面情報を前記携帯型電話器へ送信するデータ不連続時入力画面情報送信手段と、
前記携帯型電話器から送信された前記所定の時間単位毎の第２の期間の測定データをすべて受信した後、所定のデータ不連続時測定データ受付完了情報を前記携帯型電話器へ送信するデータ不連続時測定データ受付完了情報送信手段と
をさらに備え、
前記データ伝送装置は、
所定の制御入力に基づき、伝送装置側記録部に記録された第２の期間の測定データを前記所定の時間単位毎に前記携帯型電話器へ転送するデータ不連続時測定データ転送手段
をさらに備え、
前記携帯型電話器は、
前記データ不連続時入力画面情報送信手段で送信されたデータ不連続時入力画面情報を表示部に表示するデータ不連続時入力画面情報表示手段と、
前記データ不連続時測定データ転送手段で転送された前記所定の時間単位毎の第２の期間の測定データを、前記データ不連続時入力画面情報に従い前記所定の時間単位毎に、前記ネットワークを介して前記データセンタ側サーバへ送信するデータ不連続時測定データ送信手段と、
前記データ不連続時測定データ受付完了情報送信手段で送信された所定のデータ不連続時測定データ受付完了情報を表示部に表示するデータ不連続時測定データ受付完了情報表示手段と
をさらに備えたことを特徴とする測定データ管理システム。
【請求項４】
請求項１ないし３のいずれかに記載の測定データ管理システムにおいて、前記アクセス情報または前記大データ量時アクセス情報に含まれる所定のパスワードは、予め前記データセンタ側サーバから受信した所定の値に基づいて暗号化され、前記ネットワークを介し前記データセンタ側サーバと前記携帯型電話器との間で所定の回数のみ使用可能なパスワードであることを特徴とする測定データ管理システム。
【請求項５】
請求項１ないし４のいずれかに記載の測定データ管理システムにおいて、前記ネットワークに接続され、且つ前記データ伝送装置を識別する伝送装置識別子と前記所定の形式に基づく前記データセンタ側サーバの識別子とを対応させた対応表部を有するアクセス・サーバをさらに備え、
前記データ伝送装置は、
前記携帯型電話器へ前記伝送装置識別子を転送する伝送装置識別子転送手段と、
前記携帯型電話器から転送された前記データセンタ側サーバの識別子を前記伝送装置側記録部に記録する手段と
をさらに備え、
前記携帯型電話器は、
前記伝送装置識別子転送手段で転送された伝送装置識別子を前記ネットワークを介して前記アクセス・サーバへ送信する伝送装置識別子送信手段と、
前記アクセス・サーバから送信された前記データセンタ側サーバの識別子を前記データ伝送装置へ転送する転送手段と
をさらに備え、
前記アクセス・サーバは、
前記伝送装置識別子送信手段で送信された伝送装置識別子に対応した前記所定の形式における前記データセンタ側サーバの識別子を対応表部から検索する検索手段と、
前記検索手段で検索された前記データセンタ側サーバの識別子を前記ネットワークを介して前記携帯型電話器へ送信するデータセンタ側サーバ識別子送信手段とを備えたことを特徴とする測定データ管理システム。
【請求項６】
請求項１ないし５のいずれかに記載の測定データ管理システムにおいて、前記データセンタ側サーバは、サーバ側記録部に記録された第３の期間の測定データを、前記データ伝送装置に接続された前記携帯型電話器から前記ネットワークを介して閲覧可能に記録したウェブ・サイトをさらに備えたことを特徴とする測定データ管理システム。
【請求項７】
請求項１ないし６のいずれかに記載の測定データ管理システムにおいて、前記データ測定器は前記データ伝送装置と所定のインタフェースで接続された体重体脂肪計であり、前記測定データは前記所定の時間単位で連続して測定された体重データおよび体脂肪量データであることを特徴とする測定データ管理システム。
【請求項８】
請求項１ないし７のいずれかに記載の測定データ管理システムにおいて、前記所定の形式は、ユニフォーム・リソース・ロケータ（Uniform Resource Locator：「ＵＲＬ」という）を用いた形式であることを特徴とする測定データ管理システム。
【請求項９】
ネットワークを介して集積された測定データの管理を行う測定データ管理システムにおけるデータ伝送装置であって、該測定データは所定の時間単位で連続して測定されたものであり、該測定データ管理システムは、該データ伝送装置と、該データ伝送装置と脱着可能に接続され且つ第１の期間の測定データを記録した測定器側記録部を有するデータ測定器と、該データ伝送装置と脱着可能に接続され且つ該ネットワークに接続可能な携帯型電話器と、該携帯型電話器と該ネットワークを介して接続されたデータセンタ側サーバとを含み、該データ伝送装置は、
第１の期間以上の第２の期間の測定データと所定の形式に基づく前記データセンタ側サーバの識別子とを記録した伝送装置側記録部と、
前記データ測定器の測定器側記録部に記録された第１の期間の測定データを取出す測定データ取出手段と、
前記測定データ取出手段で取出された第１の期間の測定データと、伝送装置側記録部に記録された第２の期間の測定データとに基づいて、新たに測定された測定データを差分データとして抽出する差分データ抽出手段と、
前記差分データ抽出手段で抽出された差分データの量が、前記携帯型電話器から前記ネットワークを介して前記所定の形式により送信可能な所定のデータ量以下であるかどうかを判断するデータ量判断手段と、
前記データ量判断手段で差分データの量が所定のデータ量以下であると判断された場合、前記所定の形式に基づいて、前記伝送装置側記録部に記録されたデータセンタ側サーバの識別子と差分データと所定のパスワードとを含むアクセス情報を作成するアクセス情報作成手段と、
前記アクセス情報作成手段で作成されたアクセス情報を前記携帯型電話器へ転送するアクセス情報転送手段と
を備えたことを特徴とするデータ伝送装置。
【請求項１０】
請求項９記載のデータ伝送装置において、
前記データ量判断手段で差分データの量が所定のデータ量を超えると判断された場合、
前記所定の形式に基づいて、前記伝送装置側記録部に記録されたデータセンタ側サーバの識別子と第２の期間の測定データの送信を行うことが設定されたデータ量識別子と所定のパスワードとを含む大データ量時アクセス情報を作成する大データ量時アクセス情報作成手段と、
前記大データ量時アクセス情報作成手段で作成された大データ量時アクセス情報を前記携帯型電話器へ転送する大データ量時アクセス情報転送手段と、
所定の制御入力に基づき、伝送装置側記録部に記録された第２の期間の測定データを前記所定の時間単位毎に前記携帯型電話器へ転送する大データ量時測定データ転送手段と
をさらに備えたことを特徴とするデータ伝送装置。
【請求項１１】
請求項９または１０記載のデータ伝送装置において、
前記データセンタ側サーバから前記携帯型電話器へ、前記所定の時間単位としての連続性が無いことを示す情報と第２の期間の測定データの入力を促す情報とを含むデータ不連続時入力画面情報が送信され、該データ不連続時入力画面情報が前記携帯型電話器により表示部に表示された場合、
所定の制御入力に基づき、伝送装置側記録部に記録された第２の期間の測定データを前記所定の時間単位毎に前記携帯型電話器へ転送するデータ不連続時測定データ転送手段をさらに備えたことを特徴とするデータ伝送装置。
【請求項１２】
請求項１１記載のデータ伝送装置において、
前記データ不連続時入力画面情報は、
前記アクセス情報転送手段により前記携帯型電話器へ転送され、該携帯型電話器により前記所定の形式に基づき前記ネットワークを介して前記データセンタ側サーバへ送信されたアクセス情報に含まれる所定のパスワードに基づいて、前記データセンタ側サーバにより認証が行われた場合、第２の期間以上の第３の期間の測定データを記録したサーバ側記録部に記録された第３の期間の測定データの最後の前記所定の時間単位の測定データと、前記アクセス情報に含まれる差分データの最初の前記所定の時間単位の測定データとの間に、前記所定の時間単位としての連続性が有るか否かを判断され、前記所定の時間単位としての連続性が無い判断された場合、前記データセンタ側サーバから前記ネットワークを介して前記携帯型電話器へ送信されるものであることを特徴とするデータ伝送装置。
【請求項１３】
請求項９ないし１２のいずれかに記載のデータ伝送装置において、前記アクセス情報または前記大データ量時アクセス情報に含まれる所定のパスワードは、予め前記データセンタ側サーバから受信した所定の値に基づいて暗号化され、前記ネットワークを介し前記データセンタ側サーバと前記携帯型電話器との間で所定の回数のみ使用可能なパスワードであることを特徴とするデータ伝送装置。
【請求項１４】
請求項９ないし１３のいずれかに記載のデータ伝送装置において、前記測定データ管理システムは、前記ネットワークに接続され且つ該データ伝送装置を識別する伝送装置識別子と前記所定の形式に基づく前記データセンタ側サーバの識別子とを対応させた対応表部を有するアクセス・サーバをさらに備え、
該データ伝送装置は、
前記携帯型電話器へ前記伝送装置識別子を転送する伝送装置識別子転送手段と、
前記携帯型電話器から転送された前記データセンタ側サーバの識別子を前記伝送装置側記録部に記録する手段とを備え、該データセンタ側サーバの識別子は、
前記携帯型電話器が、前記伝送装置識別子転送手段で転送された伝送装置識別子を前記ネットワークを介して前記アクセス・サーバへ送信し、
前記アクセス・サーバが、前記携帯型電話器から送信された伝送装置識別子に対応した前記所定の形式における前記データセンタ側サーバの識別子を対応表部から検索し、検索された前記データセンタ側サーバの識別子を前記ネットワークを介して前記携帯型電話器へ送信し、
前記携帯型電話器が、前記アクセス・サーバから送信された前記データセンタ側サーバの識別子を前記データ伝送装置へ転送したものであることを特徴とするデータ伝送装置。
【請求項１５】
請求項９ないし１４のいずれかに記載のデータ伝送装置において、前記データ測定器は前記データ伝送装置と所定のインタフェースで接続された体重体脂肪計であり、前記測定データは前記所定の時間単位で連続して測定された体重データおよび体脂肪量データであることを特徴とするデータ伝送装置。
【請求項１６】
請求項９ないし１５のいずれかに記載のデータ伝送装置において、前記所定の形式は、ユニフォーム・リソース・ロケータ（Uniform Resource Locator：「ＵＲＬ」という）を用いた形式であることを特徴とするデータ伝送装置。
【請求項１７】
ネットワークを介して集積された測定データの管理を行う測定データ管理システムにおけるデータ伝送プログラムであって、該測定データは所定の時間単位で連続して測定されたものであり、該測定データ管理システムは、該データ伝送プログラムを実行するコンピュータを有するデータ伝送装置と、該データ伝送装置と脱着可能に接続され且つ第１の期間の測定データを記録した測定器側記録部を有するデータ測定器と、該データ伝送装置と脱着可能に接続され且つ該ネットワークに接続可能な携帯型電話器と、該携帯型電話器と該ネットワークを介して接続されたデータセンタ側サーバとを含み、該データ伝送装置は、第１の期間以上の第２の期間の測定データと所定の形式に基づく前記データセンタ側サーバの識別子とを記録した伝送装置側記録部とを有しており、データ伝送装置のコンピュータを、
前記データ測定器の測定器側記録部に記録された第１の期間の測定データを取出す測定データ取出手段、
前記測定データ取出手段で取出された第１の期間の測定データと、伝送装置側記録部に記録された第２の期間の測定データとに基づいて、新たに測定された測定データを差分データとして抽出する差分データ抽出手段、
前記差分データ抽出手段で抽出された差分データの量が、前記携帯型電話器から前記ネットワークを介して前記所定の形式により送信可能な所定のデータ量以下であるかどうかを判断するデータ量判断手段、
前記データ量判断手段で差分データの量が所定のデータ量以下であると判断された場合、前記所定の形式に基づいて、前記伝送装置側記録部に記録されたデータセンタ側サーバの識別子と差分データと所定のパスワードとを含むアクセス情報を作成するアクセス情報作成手段、
前記アクセス情報作成手段で作成されたアクセス情報を前記携帯型電話器へ転送するアクセス情報転送手段
として機能させるためのデータ伝送プログラム。
【請求項１８】
請求項１７記載のデータ伝送プログラムにおいて、
前記データ量判断手段で差分データの量が所定のデータ量を超えると判断された場合、
前記所定の形式に基づいて、前記伝送装置側記録部に記録されたデータセンタ側サーバの識別子と第２の期間の測定データの送信を行うことが設定されたデータ量識別子と所定のパスワードとを含む大データ量時アクセス情報を作成する大データ量時アクセス情報作成手段と、
前記大データ量時アクセス情報作成手段で作成された大データ量時アクセス情報を前記携帯型電話器へ転送する大データ量時アクセス情報転送手段と、
所定の制御入力に基づき、伝送装置側記録部に記録された第２の期間の測定データを前記所定の時間単位毎に前記携帯型電話器へ転送する大データ量時測定データ転送手段と
をさらに備えたことを特徴とするデータ伝送プログラム。
【請求項１９】
請求項１７または１８記載のデータ伝送プログラムにおいて、
前記データセンタ側サーバから前記携帯型電話器へ、前記所定の時間単位としての連続性が無いことを示す情報と第２の期間の測定データの入力を促す情報とを含むデータ不連続時入力画面情報が送信され、該データ不連続時入力画面情報が前記携帯型電話器により表示部に表示された場合、
所定の制御入力に基づき、伝送装置側記録部に記録された第２の期間の測定データを前記所定の時間単位毎に前記携帯型電話器へ転送するデータ不連続時測定データ転送手段をさらに備えたことを特徴とするデータ伝送プログラム。
【請求項２０】
請求項１９記載のデータ伝送プログラムにおいて、
前記データ不連続時入力画面情報は、
前記アクセス情報転送手段により前記携帯型電話器へ転送され、該携帯型電話器により前記所定の形式に基づき前記ネットワークを介して前記データセンタ側サーバへ送信されたアクセス情報に含まれる所定のパスワードに基づいて、前記データセンタ側サーバにより認証が行われた場合、第２の期間以上の第３の期間の測定データを記録したサーバ側記録部に記録された第３の期間の測定データの最後の前記所定の時間単位の測定データと、前記アクセス情報に含まれる差分データの最初の前記所定の時間単位の測定データとの間に、前記所定の時間単位としての連続性が有るか否かを判断され、前記所定の時間単位としての連続性が無い判断された場合、前記データセンタ側サーバから前記ネットワークを介して前記携帯型電話器へ送信されるものであることを特徴とするデータ伝送プログラム。
【請求項２１】
請求項１７ないし２０のいずれかに記載のデータ伝送プログラムにおいて、前記アクセス情報または前記大データ量時アクセス情報に含まれる所定のパスワードは、予め前記データセンタ側サーバから受信した所定の値に基づいて暗号化され、前記ネットワークを介し前記データセンタ側サーバと前記携帯型電話器との間で所定の回数のみ使用可能なパスワードであることを特徴とするデータ伝送プログラム。
【請求項２２】
請求項１７ないし２１のいずれかに記載のデータ伝送プログラムにおいて、前記測定データ管理システムは、前記ネットワークに接続され且つ該データ伝送装置を識別する伝送装置識別子と前記所定の形式に基づく前記データセンタ側サーバの識別子とを対応させた対応表部を有するアクセス・サーバをさらに備え、
該データ伝送装置は、
前記携帯型電話器へ前記伝送装置識別子を転送する伝送装置識別子転送手段と、
前記携帯型電話器から転送された前記データセンタ側サーバの識別子を前記伝送装置側記録部に記録する手段とを備え、該データセンタ側サーバの識別子は、
前記携帯型電話器が、前記伝送装置識別子転送手段で転送された伝送装置識別子を前記ネットワークを介して前記アクセス・サーバへ送信し、
前記アクセス・サーバが、前記携帯型電話器から送信された伝送装置識別子に対応した前記所定の形式における前記データセンタ側サーバの識別子を対応表部から検索し、検索された前記データセンタ側サーバの識別子を前記ネットワークを介して前記携帯型電話器へ送信し、
前記携帯型電話器が、前記アクセス・サーバから送信された前記データセンタ側サーバの識別子を前記データ伝送装置へ転送したものであることを特徴とするデータ伝送プログラム。
【請求項２３】
請求項１７ないし２２のいずれかに記載のデータ伝送プログラムにおいて、前記データ測定器は前記データ伝送装置と所定のインタフェースで接続された体重体脂肪計であり、前記測定データは前記所定の時間単位で連続して測定された体重データおよび体脂肪量データであることを特徴とするデータ伝送プログラム。
【請求項２４】
請求項１７ないし２３のいずれかに記載のデータ伝送プログラムにおいて、前記所定の形式は、ユニフォーム・リソース・ロケータ（Uniform Resource Locator：「ＵＲＬ」という）を用いた形式であることを特徴とするデータ伝送プログラム。
【請求項２５】
請求項１７ないし２４のいずれかに記載のデータ伝送プログラムを記録したコンピュータ読取り可能な記録媒体。
【請求項２６】
ネットワークを介して集積された測定データの管理を行う測定データ管理方法であって、該測定データは所定の時間単位で連続して測定されたものであり、第１の期間の測定データを記録した測定器側記録部を有するデータ測定器と、該データ測定器と脱着可能に接続されたデータ伝送装置であって第１の期間以上の第２の期間の測定データを記録した伝送装置側記録部を有するものと、該データ伝送装置と脱着可能に接続され該ネットワークに接続可能な携帯型電話器と、該携帯型電話器と該ネットワークを介して接続され第２の期間以上の第３の期間の測定データを記録したサーバ側記録部を有するデータセンタ側サーバとを用い、前記伝送装置側記録部は所定の形式に基づく該データセンタ側サーバの識別子をさらに記録しており、
前記データ伝送装置が、
前記データ測定器の測定器側記録部に記録された第１の期間の測定データを取出す測定データ取出ステップと、
前記測定データ取出ステップで取出された第１の期間の測定データと、伝送装置側記録部に記録された第２の期間の測定データとに基づいて、新たに測定された測定データを差分データとして抽出する差分データ抽出ステップと、
前記差分データ抽出ステップで抽出された差分データの量が、前記携帯型電話器から前記ネットワークを介して前記所定の形式により送信可能な所定のデータ量以下であるかどうかを判断するデータ量判断ステップと、
前記データ量判断ステップで差分データの量が所定のデータ量以下であると判断された場合、前記所定の形式に基づいて、前記伝送装置側記録部に記録されたデータセンタ側サーバの識別子と差分データと所定のパスワードとを含むアクセス情報を作成するアクセス情報作成ステップと、
前記アクセス情報作成ステップで作成されたアクセス情報を前記携帯型電話器へ転送するアクセス情報転送ステップと、
前記携帯型電話器が、
前記アクセス情報転送ステップで転送されたアクセス情報を、前記所定の形式に基づいて前記ネットワークを介して前記データセンタ側サーバへ送信するアクセス情報送信ステップと、
前記データセンタ側サーバが、
前記アクセス情報送信ステップで送信されたアクセス情報に含まれる所定のパスワードに基づき認証を行う認証ステップと、
前記認証ステップで認証された場合、前記サーバ側記録部に記録された第３の期間の測定データの最後の前記所定の時間単位の測定データと、前記アクセス情報送信ステップで送信されたアクセス情報に含まれる差分データの最初の前記所定の時間単位の測定データとの間に、前記所定の時間単位としての連続性が有るか否かを判断する測定データ連続性判断ステップと、
前記測定データ連続性判断ステップで前記所定の時間単位としての連続性が有ると判断された場合、所定の受付完了情報を前記ネットワークを介して前記携帯型電話器へ送信する受付完了情報送信ステップと、
前記携帯型電話器が、
前記受付完了情報送信ステップで送信された所定の受付完了情報を表示部に表示する受付完了情報表示ステップと
を備えたことを特徴とする測定データ管理方法。
【請求項２７】
請求項２６記載の測定データ管理方法において、
前記データ量判断ステップで差分データの量が所定のデータ量を超えると判断された場合、
前記データ伝送装置が、
前記所定の形式に基づいて、前記伝送装置側記録部に記録されたデータセンタ側サーバの識別子と第２の期間の測定データの送信を行うことが設定されたデータ量識別子と所定のパスワードとを含む大データ量時アクセス情報を作成する大データ量時アクセス情報作成ステップと、
前記大データ量時アクセス情報作成ステップで作成された大データ量時アクセス情報を前記携帯型電話器へ転送する大データ量時アクセス情報転送ステップと、
前記携帯型電話器が、
前記大データ量時アクセス情報転送ステップで転送された大データ量時アクセス情報を前記ネットワークを介して前記データセンタ側サーバへ送信する大データ量時アクセス情報送信ステップと、
前記データセンタ側サーバが、
前記大データ量時アクセス情報送信ステップで送信された大データ量時アクセス情報に含まれる所定のパスワードに基づき認証を行う大データ量時認証ステップと、
前記大データ量時認証ステップで認証された場合、第２の期間の測定データの入力を促す大データ量時入力画面情報を前記携帯型電話器へ送信する大データ量時入力画面情報送信ステップと、
前記携帯型電話器が、
前記大データ量時入力画面情報送信ステップで送信された大データ量時入力画面情報を表示部に表示する大データ量時入力画面情報表示ステップと、
前記データ伝送装置が、
所定の制御入力に基づき、伝送装置側記録部に記録された第２の期間の測定データを前記所定の時間単位毎に前記携帯型電話器へ転送する大データ量時測定データ転送ステップと、
前記携帯型電話器が、
前記大データ量時測定データ転送ステップで転送された前記所定の時間単位毎の第２の期間の測定データを、前記大データ量時入力画面情報に従い前記所定の時間単位毎に、前記ネットワークを介して前記データセンタ側サーバへ送信する大データ量時測定データ送信ステップと、
前記データセンタ側サーバが、
前記大データ量時測定データ送信ステップで送信された前記所定の時間単位毎の第２の期間の測定データをすべて受信した後、所定の大データ量時測定データ受付完了情報を前記携帯型電話器へ送信する大データ量時測定データ受付完了情報送信ステップと、
前記携帯型電話器が、
前記大データ量時測定データ受付完了情報送信ステップで送信された所定の大データ量時測定データ受付完了情報を表示部に表示する大データ量時測定データ受付完了情報表示ステップと
をさらに備えたことを特徴とする測定データ管理方法。
【請求項２８】
請求項２６または２７記載の測定データ管理方法において、
前記測定データ連続性判断ステップで前記所定の時間単位としての連続性が無いと判断された場合、
前記データセンタ側サーバが、
第２の期間の測定データの入力を促すデータ不連続時入力画面情報を前記携帯型電話器へ送信するデータ不連続時入力画面情報送信ステップと、
前記携帯型電話器が、
前記データ不連続時入力画面情報送信ステップで送信されたデータ不連続時入力画面情報を表示部に表示するデータ不連続時入力画面情報表示ステップと、
前記データ伝送装置が、
所定の制御入力に基づき、伝送装置側記録部に記録された第２の期間の測定データを前記所定の時間単位毎に前記携帯型電話器へ転送するデータ不連続時測定データ転送ステップと、
前記携帯型電話器が、
前記データ不連続時測定データ転送ステップで転送された前記所定の時間単位毎の第２の期間の測定データを、前記データ不連続時入力画面情報に従い前記所定の時間単位毎に、前記ネットワークを介して前記データセンタ側サーバへ送信するデータ不連続時測定データ送信ステップと、
前記データセンタ側サーバが、
前記データ不連続時測定データ送信ステップで送信された前記所定の時間単位毎の第２の期間の測定データをすべて受信した後、所定のデータ不連続時測定データ受付完了情報を前記携帯型電話器へ送信するデータ不連続時測定データ受付完了情報送信ステップと、
前記携帯型電話器が、
前記データ不連続時測定データ受付完了情報送信ステップで送信された所定のデータ不連続時測定データ受付完了情報を表示部に表示するデータ不連続時測定データ受付完了情報表示ステップと
をさらに備えたことを特徴とする測定データ管理方法。
【請求項２９】
請求項２６ないし２８のいずれかに記載の測定データ管理方法において、前記アクセス情報または前記大データ量時アクセス情報に含まれる所定のパスワードは、予め前記データセンタ側サーバから受信した所定の値に基づいて暗号化され、前記ネットワークを介し前記データセンタ側サーバと前記携帯型電話器との間で所定の回数のみ使用可能なパスワードであることを特徴とする測定データ管理方法。
【請求項３０】
請求項２６ないし２９のいずれかに記載の測定データ管理方法において、前記ネットワークに接続され、且つ前記データ伝送装置を識別する伝送装置識別子と前記所定の形式に基づく前記データセンタ側サーバの識別子とを対応させた対応表部を有するアクセス・サーバをさらに備え、
前記アクセス情報作成ステップまたは前記大データ量時アクセス情報作成ステップに先立ち、
前記データ伝送装置が、
前記携帯型電話器へ前記伝送装置識別子を転送する伝送装置識別子転送ステップと、
前記携帯型電話器が、
前記伝送装置識別子転送ステップで転送された伝送装置識別子を前記ネットワークを介して前記アクセス・サーバへ送信する伝送装置識別子送信ステップと、
前記アクセス・サーバが、
前記伝送装置識別子送信ステップで送信された伝送装置識別子に対応した前記所定の形式における前記データセンタ側サーバの識別子を対応表部から検索する検索ステップと、
前記検索ステップで検索された前記データセンタ側サーバの識別子を前記ネットワークを介して前記携帯型電話器へ送信するデータセンタ側サーバ識別子送信ステップと、
前記携帯型電話器が、
前記データセンタ側サーバ識別子送信ステップで送信された前記データセンタ側サーバの識別子を前記データ伝送装置へ転送する転送ステップと、
前記データ伝送装置が、
前記転送ステップで転送された前記データセンタ側サーバの識別子を前記伝送装置側記録部に記録するステップと
をさらに備えたことを特徴とする測定データ管理方法。
【請求項３１】
請求項２６ないし３０のいずれかに記載の測定データ管理方法において、前記データセンタ側サーバは、サーバ側記録部に記録された第３の期間の測定データを、前記データ伝送装置に接続された前記携帯型電話器から前記ネットワークを介して閲覧可能に記録したウェブ・サイトをさらに備えたことを特徴とする測定データ管理方法。
【請求項３２】
請求項２６ないし３１のいずれかに記載の測定データ管理方法において、前記データ測定器は前記データ伝送装置と所定のインタフェースで接続された体重体脂肪計であり、前記測定データは前記所定の時間単位で連続して測定された体重データおよび体脂肪量データであることを特徴とする測定データ管理方法。
【請求項３３】
請求項２６ないし３２のいずれかに記載の測定データ管理方法において、前記所定の形式は、ユニフォーム・リソース・ロケータ（Uniform Resource Locator：「ＵＲＬ」という）を用いた形式であることを特徴とする測定データ管理方法。
【請求項３４】
ネットワークを介して集積された測定データの管理を行う測定データ管理システムであって、該測定データは所定の時間単位で連続して測定されたものであり、
測定データを記録した測定器側記録部を有するデータ測定器と、
前記データ測定器と脱着可能に接続され該ネットワークに接続可能な情報端末装置と、
前記情報端末装置と該ネットワークを介して接続され、該情報端末装置から送信された測定データを該情報端末装置毎に記録したサーバ側記録部を有するデータセンタ側サーバとを備え、
前記情報端末装置は、
接続されたデータ測定器を所定の手順に基づき識別するデータ測定器識別手段と、
前記データ測定器識別手段により識別されたデータ測定器に応じた所定の通信手順に基づき、該データ測定器の識別子と該データ測定器の測定器側記録部に記録された測定データとを少なくとも含む測定データ情報を取出す測定データ情報取出手段と、
データセンタ側サーバのアクセスポイントの電話番号を作成する電話番号作成手段と、
前記電話番号作成手段により作成されたデータセンタ側サーバのアクセスポイントの電話番号と、前記測定データ情報取出手段により取り出された測定データ情報と、情報端末装置の識別子及び所定のパスワードとを含む送信データ情報を作成する送信データ情報作成手段と、
前記送信データ情報作成手段により作成された送信データ情報に所定の変換を施して、該送信データ情報に含まれるデータセンタ側サーバのアクセスポイントの電話番号を用いることにより前記ネットワークを介して前記データセンタ側サーバへ送信する送信データ情報送信手段と、
前記データセンタ側サーバから送信された所定の受付完了情報を表示部に表示する受付完了情報表示手段と
を備え、
前記データセンタ側サーバは、
前記送信データ情報送信手段により送信された送信データ情報に含まれる所定のパスワードに基づき認証を行う認証手段と、
前記認証手段で認証された場合、前記送信データ情報送信手段により送信された送信データ情報に含まれる測定データ情報が所定のヘッダを有しているか否かを判断するデータ測定器ヘッダ判断手段と、
前記データ測定器ヘッダ判断手段により測定データ情報が所定のヘッダを有していると判断された場合、前記送信データ情報送信手段により送信された送信データ情報に基づき得られた情報端末装置の電話番号と前記所定のヘッダとに基づき、サーバ側記録部に記録された対応する従前の測定データを特定する測定データ特定手段と、
前記送信データ情報送信手段により送信された送信データ情報に含まれる測定データと前記測定データ特定手段により特定された従前の測定データとに基づき、新たに測定された測定データを差分データとして抽出する差分データ抽出手段と、
前記測定データ特定手段により特定された従前の測定データの最後の前記所定の時間単位の測定データと、前記差分データ抽出手段により抽出された差分データの最初の前記所定の時間単位の測定データとの間に、前記所定の時間単位としての連続性が有るか否かを判断する測定データ連続性判断手段と、
前記測定データ連続性判断手段で前記所定の時間単位としての連続性が有ると判断された場合、所定の受付完了情報を前記ネットワークを介して前記情報端末装置へ送信する受付完了情報送信手段と、
前記測定データ連続性判断手段で前記所定の時間単位としての連続性が有ると判断された場合、前記差分データ抽出手段により抽出された差分データを前記測定データ特定手段により特定された従前の測定データに続けて前記サーバ側記録部に記録する測定データ更新手段と
を備えたことを特徴とする測定データ管理システム。
【請求項３５】
請求項３４記載の測定データ管理システムにおいて、前記情報端末装置は、前記データ測定器と脱着可能に接続されたデータ伝送装置と該データ伝送装置と脱着可能に接続され該ネットワークに接続可能な携帯型電話器とにより構成され、前記データセンタ側サーバは前記携帯型電話器と該ネットワークを介して接続され、前記サーバ側記録部は該携帯型電話器から送信された測定データを該携帯型電話器毎に記録しており、
前記データ伝送装置側は、
前記データ測定器識別手段と、前記測定データ情報取出手段と、前記電話番号作成手段と、前記送信データ情報作成手段と、該送信データ情報作成手段により作成された送信データ情報に所定の変換を施して前記携帯型電話器へ転送する送信データ情報転送手段とにより構成され、該電話番号作成手段は、接続された携帯型電話器から該携帯型電話器の電話番号を受信して、受信した該電話番号に基づきデータセンタ側サーバのアクセスポイントの電話番号を作成するものであり、
前記携帯型電話器側は、
前記送信データ情報転送手段により転送された送信データ情報を、該送信データ情報に含まれるデータセンタ側サーバのアクセスポイントの電話番号を用いることにより前記ネットワークを介して前記データセンタ側サーバへ送信する送信データ情報送信手段と、前記受付完了情報表示手段とにより構成され、
前記データセンタ側サーバの測定データ特定手段は、前記データ測定器ヘッダ判断手段により測定データ情報が所定のヘッダを有していると判断された場合、前記送信データ情報送信手段により送信された送信データ情報に含まれる携帯型電話器の電話番号と前記所定のヘッダとに基づき、サーバ側記録部に記録された対応する従前の測定データを特定し、前記受付完了情報送信手段は、前記測定データ連続性判断手段で前記所定の時間単位としての連続性が有ると判断された場合、所定の受付完了情報を前記ネットワークを介して前記携帯型電話器へ送信することを特徴とする測定データ管理システム。
【請求項３６】
請求項３５記載の測定データ管理システムにおいて、前記電話番号作成手段は、前記データ伝送装置と前記携帯型電話器との接続形態に基づきデータセンタ側サーバのアクセスポイントの電話番号を作成し、前記サーバ側記録部は該携帯型電話器から送信された測定データを前記データ伝送装置毎に記録したことを特徴とする測定データ管理システム。
【請求項３７】
請求項３５記載の測定データ管理システムにおいて、
前記測定データ特定手段は、測定データ情報が所定のヘッダを有していると判断されなかった場合、前記送信データ情報送信手段により送信された送信データ情報に含まれるデータ測定器の識別子に基づき所定のヘッダを作成し、該所定のヘッダと該送信データ情報に含まれる携帯型電話器の電話番号とに基づき、サーバ側記録部に記録された対応する従前の測定データを特定することを特徴とする測定データ管理システム。
【請求項３８】
請求項３５ないし３７のいずれかに記載の測定データ管理システムにおいて、前記データ伝送装置の前記送信データ情報転送手段が前記送信データ情報作成手段により作成された送信データ情報に施す所定の変換は、ＨＴＴＰ（HyperText Transfer Protocol）であることを特徴とする測定データ管理システム。
【請求項３９】
請求項３５ないし３８のいずれかに記載の測定データ管理システムにおいて、前記データセンタ側サーバのデータ測定器ヘッダ判断手段により判断される所定のヘッダは、前記データ測定器を製造したメーカの識別子及び該データ測定器の種別を示す機種識別子であることを特徴とする測定データ管理システム。
【請求項４０】
ネットワークを介して集積された測定データの管理を行う測定データ管理システムにおける該ネットワークに接続可能な情報端末装置であって、該測定データは所定の時間単位で連続して測定されたものであり、該測定データ管理システムは、該情報端末装置と、該情報端末装置と脱着可能に接続され且つ測定データを記録した測定器側記録部を有するデータ測定器と、該情報端末装置と該ネットワークを介して接続され、該情報端末装置から送信された測定データを該情報端末装置毎に記録したサーバ側記録部を有するデータセンタ側サーバとを含み、該情報端末装置は、
接続されたデータ測定器を所定の手順に基づき識別するデータ測定器識別手段と、
前記データ測定器識別手段により識別されたデータ測定器に応じた所定の通信手順に基づき、該データ測定器の識別子と該データ測定器の測定器側記録部に記録された測定データとを少なくとも含む測定データ情報を取出す測定データ情報取出手段と、
データセンタ側サーバのアクセスポイントの電話番号を作成する電話番号作成手段と、
前記電話番号作成手段により作成されたデータセンタ側サーバのアクセスポイントの電話番号と、前記測定データ情報取出手段により取り出された測定データ情報と、情報端末装置の識別子及び所定のパスワードとを含む送信データ情報を作成する送信データ情報作成手段と、
前記送信データ情報作成手段により作成された送信データ情報に所定の変換を施して、該送信データ情報に含まれるデータセンタ側サーバのアクセスポイントの電話番号を用いることにより前記ネットワークを介して前記データセンタ側サーバへ送信する送信データ情報送信手段と、
前記データセンタ側サーバから送信された所定の受付完了情報を表示部に表示する受付完了情報表示手段と
を備えたことを特徴とする情報端末装置。
【請求項４１】
ネットワークを介して集積された測定データの管理を行う測定データ管理システムにおけるデータ伝送装置であって、該測定データは所定の時間単位で連続して測定されたものであり、該測定データ管理システムは、該データ伝送装置と、該データ伝送装置と脱着可能に接続され且つ測定データを記録した測定器側記録部を有するデータ測定器と、該データ伝送装置と脱着可能に接続され該ネットワークに接続可能な携帯型電話器と、該携帯型電話器と該ネットワークを介して接続され、該携帯型電話器から送信された測定データを該携帯型電話器毎に記録したサーバ側記録部を有するデータセンタ側サーバとを含み、該データ伝送装置は、
接続されたデータ測定器を所定の手順に基づき識別するデータ測定器識別手段と、
前記データ測定器識別手段により識別されたデータ測定器に応じた所定の通信手順に基づき、該データ測定器の識別子と該データ測定器の測定器側記録部に記録された測定データとを少なくとも含む測定データ情報を取出す測定データ情報取出手段と、
接続された携帯型電話器から該携帯型電話器の電話番号を受信する電話番号受信手段と、
前記電話番号受信手段により受信した電話番号に基づき作成されたデータセンタ側サーバのアクセスポイントの電話番号と、前記測定データ情報取出手段により取り出された測定データ情報と、データ伝送装置の識別子及び所定のパスワードとを含む送信データ情報を作成する送信データ情報作成手段と、
前記送信データ情報作成手段により作成された送信データ情報に所定の変換を施して前記携帯型電話器へ転送する送信データ情報転送手段と
を備えたことを特徴とするデータ伝送装置。
【請求項４２】
請求項４１記載のデータ伝送装置において、前記電話番号受信手段に替えて、前記データ伝送装置と前記携帯型電話器との接続形態に基づきデータセンタ側サーバのアクセスポイントの電話番号を作成する電話番号作成手段を備え、
前記送信データ情報作成手段は、前記電話番号作成手段により作成されたデータセンタ側サーバのアクセスポイントの電話番号と、前記測定データ情報取出手段により取り出された測定データ情報と、データ伝送装置の識別子及び所定のパスワードとを含む送信データ情報を作成し、前記サーバ側記録部は該携帯型電話器から送信された測定データを前記データ伝送装置毎に記録したことを特徴とするデータ伝送装置。
【請求項４３】
ネットワークを介して集積された測定データの管理を行う測定データ管理システムにおける情報端末装置上で実行されるデータ伝送プログラムであって、該測定データは所定の時間単位で連続して測定されたものであり、該測定データ管理システムは、該情報端末装置と、該情報端末装置と脱着可能に接続され且つ測定データを記録した測定器側記録部を有するデータ測定器と、該情報端末装置と該ネットワークを介して接続され、該情報端末装置から送信された測定データを該情報端末装置毎に記録したサーバ側記録部を有するデータセンタ側サーバとを含み、情報端末装置のコンピュータを、
接続されたデータ測定器を所定の手順に基づき識別するデータ測定器識別手段、
前記データ測定器識別手段により識別されたデータ測定器に応じた所定の通信手順に基づき、該データ測定器の識別子と該データ測定器の測定器側記録部に記録された測定データとを少なくとも含む測定データ情報を取出す測定データ情報取出手段、
データセンタ側サーバのアクセスポイントの電話番号を作成する電話番号作成手段、
前記電話番号作成手段により作成されたデータセンタ側サーバのアクセスポイントの電話番号と、前記測定データ情報取出手段により取り出された測定データ情報と、情報端末装置の識別子及び所定のパスワードとを含む送信データ情報を作成する送信データ情報作成手段、
前記送信データ情報作成手段により作成された送信データ情報に所定の変換を施して、該送信データ情報に含まれるデータセンタ側サーバのアクセスポイントの電話番号を用いることにより前記ネットワークを介して前記データセンタ側サーバへ送信する送信データ情報送信手段、
前記データセンタ側サーバから送信された所定の受付完了情報を表示部に表示する受付完了情報表示手段
として機能させるためのデータ伝送プログラム。
【請求項４４】
ネットワークを介して集積された測定データの管理を行う測定データ管理システムにおけるデータ伝送装置上で実行されるデータ伝送プログラムであって、該測定データは所定の時間単位で連続して測定されたものであり、該測定データ管理システムは、該データ伝送装置と、該データ伝送装置と脱着可能に接続され且つ測定データを記録した測定器側記録部を有するデータ測定器と、該データ伝送装置と脱着可能に接続され該ネットワークに接続可能な携帯型電話器と、該携帯型電話器と該ネットワークを介して接続され、該携帯型電話器から送信された測定データを該携帯型電話器毎に記録したサーバ側記録部を有するデータセンタ側サーバとを含み、データ伝送装置のコンピュータを、
接続されたデータ測定器を所定の手順に基づき識別するデータ測定器識別手段、
前記データ測定器識別手段により識別されたデータ測定器に応じた所定の通信手順に基づき、該データ測定器の識別子と該データ測定器の測定器側記録部に記録された測定データとを少なくとも含む測定データ情報を取出す測定データ情報取出手段、
接続された携帯型電話器から該携帯型電話器の電話番号を受信する電話番号受信手段、
前記電話番号受信手段により受信した電話番号に基づき作成されたデータセンタ側サーバのアクセスポイントの電話番号と、前記測定データ情報取出手段により取り出された測定データ情報と、データ伝送装置の識別子及び所定のパスワードとを含む送信データ情報を作成する送信データ情報作成手段、
前記送信データ情報作成手段により作成された送信データ情報に所定の変換を施して前記携帯型電話器へ転送する送信データ情報転送手段
として機能させるためのデータ伝送プログラム。
【請求項４５】
請求項４３または４４記載のデータ伝送プログラムを記録したコンピュータ読み取り可能な記録媒体。
【請求項４６】
ネットワークを介して集積された測定データの管理を行う測定データ管理方法であって、該測定データは所定の時間単位で連続して測定されたものであり、測定データを記録した測定器側記録部を有するデータ測定器と、前記データ測定器と脱着可能に接続された該ネットワークに接続可能な情報端末装置と、前記情報端末装置と該ネットワークを介して接続され、該情報端末装置から送信された測定データを該情報端末装置毎に記録したサーバ側記録部を有するデータセンタ側サーバとを用いるものであり、
前記情報端末装置が、
接続されたデータ測定器を所定の手順に基づき識別するデータ測定器識別ステップと、
前記データ測定器識別ステップにより識別されたデータ測定器に応じた所定の通信手順に基づき、該データ測定器の識別子と該データ測定器の測定器側記録部に記録された測定データとを少なくとも含む測定データ情報を取出す測定データ情報取出ステップと、
データセンタ側サーバのアクセスポイントの電話番号を作成する電話番号作成ステップと、
前記電話番号作成ステップにより作成されたデータセンタ側サーバのアクセスポイントの電話番号と、前記測定データ情報取出ステップにより取り出された測定データ情報と、情報端末装置の識別子及び所定のパスワードとを含む送信データ情報を作成する送信データ情報作成ステップと、
前記送信データ情報作成ステップにより作成された送信データ情報に所定の変換を施して、該送信データ情報に含まれるデータセンタ側サーバのアクセスポイントの電話番号を用いることにより前記ネットワークを介して前記データセンタ側サーバへ送信する送信データ情報送信ステップと、
前記データセンタ側サーバが、
前記送信データ情報送信ステップにより送信された送信データ情報に含まれる所定のパスワードに基づき認証を行う認証ステップと、
前記認証ステップで認証された場合、前記送信データ情報送信ステップにより送信された送信データ情報に含まれる測定データ情報が所定のヘッダを有しているか否かを判断するデータ測定器ヘッダ判断ステップと、
前記データ測定器ヘッダ判断ステップにより測定データ情報が所定のヘッダを有していると判断された場合、前記送信データ情報送信ステップにより送信された送信データ情報に基づいて得られる情報端末装置の電話番号と前記所定のヘッダとに基づき、サーバ側記録部に記録された対応する従前の測定データを特定する測定データ特定ステップと、
前記送信データ情報送信ステップにより送信された送信データ情報に含まれる測定データと前記測定データ特定ステップにより特定された従前の測定データとに基づき、新たに測定された測定データを差分データとして抽出する差分データ抽出ステップと、
前記測定データ特定ステップにより特定された従前の測定データの最後の前記所定の時間単位の測定データと、前記差分データ抽出ステップにより抽出された差分データの最初の前記所定の時間単位の測定データとの間に、前記所定の時間単位としての連続性が有るか否かを判断する測定データ連続性判断ステップと、
前記測定データ連続性判断ステップで前記所定の時間単位としての連続性が有ると判断された場合、所定の受付完了情報を前記ネットワークを介して前記情報端末装置へ送信する受付完了情報送信ステップと、
前記測定データ連続性判断ステップで前記所定の時間単位としての連続性が有ると判断された場合、前記差分データ抽出ステップにより抽出された差分データを前記測定データ特定ステップにより特定された従前の測定データに続けて前記サーバ側記録部に記録する測定データ更新ステップと、
前記情報端末装置が、
前記データセンタ側サーバから送信された所定の受付完了情報を表示部に表示する受付完了情報表示ステップとを備えたことを特徴とする測定データ管理方法。
【請求項４７】
ネットワークを介して集積された測定データの管理を行う測定データ管理方法であって、該測定データは所定の時間単位で連続して測定されたものであり、測定データを記録した測定器側記録部を有するデータ測定器と、前記データ測定器と脱着可能に接続されたデータ伝送装置と、前記データ伝送装置と脱着可能に接続され該ネットワークに接続可能な携帯型電話器と、前記携帯型電話器と該ネットワークを介して接続され、該携帯型電話器から送信された測定データを該携帯型電話器毎に記録したサーバ側記録部を有するデータセンタ側サーバとを用いるものであり、
前記データ伝送装置が、
接続されたデータ測定器を所定の手順に基づき識別するデータ測定器識別ステップと、
前記データ測定器識別ステップにより識別されたデータ測定器に応じた所定の通信手順に基づき、該データ測定器の識別子と該データ測定器の測定器側記録部に記録された測定データとを少なくとも含む測定データ情報を取出す測定データ情報取出ステップと、
接続された携帯型電話器から該携帯型電話器の電話番号を受信する電話番号受信ステップと、
前記電話番号受信ステップにより受信した電話番号に基づき作成されたデータセンタ側サーバのアクセスポイントの電話番号と、前記測定データ情報取出ステップにより取り出された測定データ情報と、データ伝送装置の識別子及び所定のパスワードとを含む送信データ情報を作成する送信データ情報作成ステップと、
前記送信データ情報作成ステップにより作成された送信データ情報に所定の変換を施して前記携帯型電話器へ転送する送信データ情報転送ステップと、
前記携帯型電話器が、
前記送信データ情報転送ステップにより転送された送信データ情報を、該送信データ情報に含まれるデータセンタ側サーバのアクセスポイントの電話番号を用いることにより前記ネットワークを介して前記データセンタ側サーバへ送信する送信データ情報送信ステップと、
前記データセンタ側サーバが、
前記送信データ情報送信ステップにより送信された送信データ情報に含まれる所定のパスワードに基づき認証を行う認証ステップと、
前記認証ステップで認証された場合、前記送信データ情報送信ステップにより送信された送信データ情報に含まれる測定データ情報が所定のヘッダを有しているか否かを判断するデータ測定器ヘッダ判断ステップと、
前記データ測定器ヘッダ判断ステップにより測定データ情報が所定のヘッダを有していると判断された場合、前記送信データ情報送信ステップにより送信された送信データ情報に含まれる携帯型電話器の電話番号と前記所定のヘッダとに基づき、サーバ側記録部に記録された対応する従前の測定データを特定する測定データ特定ステップと、
前記送信データ情報送信ステップにより送信された送信データ情報に含まれる測定データと前記測定データ特定ステップにより特定された従前の測定データとに基づき、新たに測定された測定データを差分データとして抽出する差分データ抽出ステップと、
前記測定データ特定ステップにより特定された従前の測定データの最後の前記所定の時間単位の測定データと、前記差分データ抽出ステップにより抽出された差分データの最初の前記所定の時間単位の測定データとの間に、前記所定の時間単位としての連続性が有るか否かを判断する測定データ連続性判断ステップと、
前記測定データ連続性判断ステップで前記所定の時間単位としての連続性が有ると判断された場合、所定の受付完了情報を前記ネットワークを介して前記携帯型電話器へ送信する受付完了情報送信ステップと、
前記測定データ連続性判断ステップで前記所定の時間単位としての連続性が有ると判断された場合、前記差分データ抽出ステップにより抽出された差分データを前記測定データ特定ステップにより特定された従前の測定データに続けて前記サーバ側記録部に記録する測定データ更新ステップと、
前記携帯型電話器が、
前記データセンタ側サーバから送信された所定の受付完了情報を表示部に表示する受付完了情報表示ステップとを備えたことを特徴とする測定データ管理方法。
【請求項４８】
請求項４７記載の測定データ管理方法において、前記電話番号受信ステップに替えて、前記データ伝送装置と前記携帯型電話器との接続形態に基づきデータセンタ側サーバのアクセスポイントの電話番号を作成する電話番号作成ステップを備え、
前記送信データ情報作成ステップは、前記電話番号作成ステップで作成されたデータセンタ側サーバのアクセスポイントの電話番号と、前記測定データ情報取出手段により取り出された測定データ情報と、データ伝送装置の識別子及び所定のパスワードとを含む送信データ情報を作成し、前記サーバ側記録部は該携帯型電話器から送信された測定データを前記データ伝送装置毎に記録したことを特徴とする測定データ管理方法。
【発明の詳細な説明】
【技術分野】
【０００１】
本発明は、ネットワークを介して集積された測定データの管理を行う測定データ管理システム等に関する。
【背景技術】
【０００２】
従来、体重体脂肪計により体重データおよび体脂肪データを測定し、当該体重データおよび体脂肪データを記録しておいて、後に出力装置により出力されることが行われてきた。図１７は、従来の体重データおよび体脂肪量データの記録および出力を説明する概略図である。図１７において、符号５ａ、５ｂは体重体脂肪計、１は体重体脂肪計５ａのユーザＡ（婦人等）、２は体重体脂肪計５ｂのユーザＢ（病気療養中または老人等の介護を要するような者等）、２３０は体重体脂肪計５ａ、５ｂと接続されたパーソナル・コンピュータ（以下、「ＰＣ」という）、２３２はＰＣ２３０と接続されたプリンタ等の出力装置である。
【０００３】
図１７に示されるように、体重体脂肪計５ａ等により測定され記録されたユーザＡ（１）等の体重データおよび体脂肪量データは、ＰＣ２３０を介して出力装置２３２により出力されていた。このため婦人等のユーザＡ（１）または老人等のユーザＢ（２）が、体重体脂肪計５ａ等に記録された自分の体重データおよび体脂肪量データを出力するためには、ＰＣ２３０および出力装置２３２の操作を自ら行う必要があった。しかし、上述のようなユーザＡ（１）等がＰＣ２３０および出力装置２３２を所有しているとは限らず、仮に所有していたとしてもＰＣ２３０等を操作する情報技術のスキルを有しているとは限らない。このため上述のようなユーザＡ（１）等にとって、体重体脂肪計５ａ等に測定され記録された自らの体重データおよび体脂肪量データを簡易に出力することが困難であるという問題があった。
【０００４】
上述のような問題を解決するために、従来から簡易な出力装置が開発されてきた。特許文献１には、体重体脂肪計１に記録されたデータを出力するプリント出力装置１３が記載されている。一方、近年、婦人または老人等が在宅したままで、測定された体重データおよび体脂肪量データをデータセンタ等のサーバへ送信することにより、健康管理または介護等を行うことができる在宅健康管理、在宅介護支援または在宅医療システムの開発が進められている。特許文献１に記載されたプリント出力装置１３は、体重体脂肪計１に記録されたデータを出力することは可能であるが、上述のような在宅健康管理システム等のサーバへ体重データおよび体脂肪量データを送信することは困難であるという問題があった。
【０００５】
上述のような在宅健康管理システム等においてサーバへ体重データおよび体脂肪量データを送信する場合、携帯電話を利用して行うことができる。例えば、携帯電話を利用してインターネットの在宅健康管理システム等のウェブ・サイトにアクセスし、この後、体重データおよび体脂肪量データを送信することができる。このためには、まず携帯電話からウェブ・サイトの所定のＵＲＬ（Uniform Resource Locator）をテンキーにより入力する必要があった。続けて、所定のデータ入力ページ等が開いた後、所定の箇所に体重データおよび体脂肪量データをテンキーにより逐一入力する必要があった。しかし、ＵＲＬをテンキーにより入力することは面倒な操作であり、誤入力しやすいという問題があった。所定のデータ入力ページ等が開いた後、所定の箇所に体重データおよび体脂肪量データをテンキーにより入力していたため、送信終了まで極めて時間を要するという問題もあった。特許文献２には、印刷されたＵＲＬを読み取るコードリード部４を有するアダプタ３が示されており、当該アダプタ３を携帯電話１に接続することにより、テンキー入力せずに当該ＵＲＬのウェブ・サイトへアクセス可能な方法が記載されている。当該方法を用いることにより、ＵＲＬのテンキー入力は行わなくても済ませることができる。
【特許文献１】特開平５−１４２０５７号公報
【特許文献２】特開２００２−２６１８９５号公報
【発明の開示】
【発明が解決しようとする課題】
【０００６】
しかし、体重データおよび体脂肪量データの送信のためには、所定のデータ入力ページ等が開くまで待ち、その後、所定の箇所に体重データおよび体脂肪量データをテンキーにより入力せざるを得なかった。所定のデータ入力ページ等が開くまで待つ必要があるため、送信したい体重データおよび体脂肪量データの量が数日程度の少量の場合であっても送信終了まで極めて時間を要するという問題があった。まして、送信したい体重データおよび体脂肪量データの量が１００日ないし２００日程度と大量である場合には、より多大な時間を要するという問題があった。
【０００７】
さらに、携帯電話により在宅健康管理システム等のサーバへ体重データおよび体脂肪量データを送信する場合、電波状態によっては完全に送信できたか否か不明な状況も発生し得る。この場合、携帯電話側が送信完了であるものとみなしてしまうと、送信側からは送信済みの体重データおよび体脂肪量データであっても、サーバ側からは未受信の体重データおよび体脂肪量データとなるため、送信側の記録部とサーバ側の記録部との間で体重データおよび体脂肪量データの不連続が発生するという問題があった。
【０００８】
そこで、本発明の目的は、上記問題を解決するためになされたものであり、体重データおよび体脂肪量データ等のような測定データを当該測定データの量に応じ、携帯電話のテンキーにより入力することなく、サーバへ高速に送信することが可能な測定データ管理システム等を提供することにある。
【０００９】
本発明の第２の目的は、電波状態により測定データの送信側が送信を完了とみなしてしまい、測定データの送信側記録部とサーバ側記録部との間で体重データおよび体脂肪量データの不連続が発生した場合であっても、当該不連続を容易に修復することが可能な測定データ管理システム等を提供することにある。
【課題を解決するための手段】
【００１０】
この発明の測定データ管理システムは、ネットワークを介して集積された測定データの管理を行う測定データ管理システムであって、該測定データは所定の時間単位で連続して測定されたものであり、第１の期間の測定データを記録した測定器側記録部を有するデータ測定器と、前記データ測定器と脱着可能に接続されたデータ伝送装置であって第１の期間以上の第２の期間の測定データを記録した伝送装置側記録部を有するものと、前記データ伝送装置と脱着可能に接続され該ネットワークに接続可能な携帯型電話器と、前記携帯型電話器と該ネットワークを介して接続され第２の期間以上の第３の期間の測定データを記録したサーバ側記録部を有するデータセンタ側サーバとを備え、前記伝送装置側記録部は所定の形式に基づく該データセンタ側サーバの識別子をさらに記録しており、前記データ伝送装置は、前記データ測定器の測定器側記録部に記録された第１の期間の測定データを取出す測定データ取出手段と、前記測定データ取出手段で取出された第１の期間の測定データと、伝送装置側記録部に記録された第２の期間の測定データとに基づいて、新たに測定された測定データを差分データとして抽出する差分データ抽出手段と、前記差分データ抽出手段で抽出された差分データの量が、前記携帯型電話器から前記ネットワークを介して前記所定の形式により送信可能な所定のデータ量以下であるかどうかを判断するデータ量判断手段と、前記データ量判断手段で差分データの量が所定のデータ量以下であると判断された場合、前記所定の形式に基づいて、前記伝送装置側記録部に記録されたデータセンタ側サーバの識別子と差分データと所定のパスワードとを含むアクセス情報を作成するアクセス情報作成手段と、前記アクセス情報作成手段で作成されたアクセス情報を前記携帯型電話器へ転送するアクセス情報転送手段とを備え、前記記携帯型電話器は、前記アクセス情報転送手段で転送されたアクセス情報を、前記所定の形式に基づいて前記ネットワークを介して前記データセンタ側サーバへ送信するアクセス情報送信手段と、前記データセンタ側サーバから送信された所定の受付完了情報を表示部に表示する受付完了情報表示手段とを備え、前記データセンタ側サーバは、前記アクセス情報送信手段で送信されたアクセス情報に含まれる所定のパスワードに基づき認証を行う認証手段と、前記認証手段で認証された場合、前記サーバ側記録部に記録された第３の期間の測定データの最後の前記所定の時間単位の測定データと、前記アクセス情報送信手段で送信されたアクセス情報に含まれる差分データの最初の前記所定の時間単位の測定データとの間に、前記所定の時間単位としての連続性が有るか否かを判断する測定データ連続性判断手段と、前記測定データ連続性判断手段で前記所定の時間単位としての連続性が有ると判断された場合、所定の受付完了情報を前記ネットワークを介して前記携帯型電話器へ送信する受付完了情報送信手段とを備えたことを特徴とする。
【００１１】
ここで、この発明の測定データ管理システムにおいて、前記データ量判断手段で差分データの量が所定のデータ量を超えると判断された場合、前記データ伝送装置は、前記所定の形式に基づいて、前記伝送装置側記録部に記録されたデータセンタ側サーバの識別子と第２の期間の測定データの送信を行うことが設定されたデータ量識別子と所定のパスワードとを含む大データ量時アクセス情報を作成する大データ量時アクセス情報作成手段と、前記大データ量時アクセス情報作成手段で作成された大データ量時アクセス情報を前記携帯型電話器へ転送する大データ量時アクセス情報転送手段と、所定の制御入力に基づき、伝送装置側記録部に記録された第２の期間の測定データを前記所定の時間単位毎に前記携帯型電話器へ転送する大データ量時測定データ転送手段とをさらに備え、前記携帯型電話器は、前記大データ量時アクセス情報転送手段で転送された大データ量時アクセス情報を前記ネットワークを介して前記データセンタ側サーバへ送信する大データ量時アクセス情報送信手段と、前記データセンタ側サーバから送信された第２の期間の測定データの入力を促す大データ量時入力画面情報を表示部に表示する大データ量時入力画面情報表示手段と、前記大データ量時測定データ転送手段で転送された前記所定の時間単位毎の第２の期間の測定データを、前記大データ量時入力画面情報に従い前記所定の時間単位毎に、前記ネットワークを介して前記データセンタ側サーバへ送信する大データ量時測定データ送信手段と、前記データセンタ側サーバから送信された所定の大データ量時測定データ受付完了情報を表示部に表示する大データ量時測定データ受付完了情報表示手段とをさらに備え、前記データセンタ側サーバは、前記大データ量時アクセス情報送信手段で送信された大データ量時アクセス情報に含まれる所定のパスワードに基づき認証を行う大データ量時認証手段と、前記大データ量時認証手段で認証された場合、第２の期間の測定データの入力を促す前記大データ量時入力画面情報を前記携帯型電話器へ送信する大データ量時入力画面情報送信手段と、前記大データ量時測定データ送信手段で送信された前記所定の時間単位毎の第２の期間の測定データをすべて受信した後、所定の大データ量時測定データ受付完了情報を前記携帯型電話器へ送信する大データ量時測定データ受付完了情報送信手段とをさらに備えることができる。
【００１２】
ここで、この発明の測定データ管理システムにおいて、前記測定データ連続性判断手段で前記所定の時間単位としての連続性が無いと判断された場合、前記データセンタ側サーバは、第２の期間の測定データの入力を促すデータ不連続時入力画面情報を前記携帯型電話器へ送信するデータ不連続時入力画面情報送信手段と、前記携帯型電話器から送信された前記所定の時間単位毎の第２の期間の測定データをすべて受信した後、所定のデータ不連続時測定データ受付完了情報を前記携帯型電話器へ送信するデータ不連続時測定データ受付完了情報送信手段と  をさらに備え、前記データ伝送装置は、所定の制御入力に基づき、伝送装置側記録部に記録された第２の期間の測定データを前記所定の時間単位毎に前記携帯型電話器へ転送するデータ不連続時測定データ転送手段をさらに備え、前記携帯型電話器は、前記データ不連続時入力画面情報送信手段で送信されたデータ不連続時入力画面情報を表示部に表示するデータ不連続時入力画面情報表示手段と、前記データ不連続時測定データ転送手段で転送された前記所定の時間単位毎の第２の期間の測定データを、前記データ不連続時入力画面情報に従い前記所定の時間単位毎に、前記ネットワークを介して前記データセンタ側サーバへ送信するデータ不連続時測定データ送信手段と、前記データ不連続時測定データ受付完了情報送信手段で送信された所定のデータ不連続時測定データ受付完了情報を表示部に表示するデータ不連続時測定データ受付完了情報表示手段とをさらに備えることができる。
【００１３】
ここで、この発明の測定データ管理システムにおいて、前記アクセス情報または前記大データ量時アクセス情報に含まれる所定のパスワードは、予め前記データセンタ側サーバから受信した所定の値に基づいて暗号化され、前記ネットワークを介し前記データセンタ側サーバと前記携帯型電話器との間で所定の回数のみ使用可能なパスワードとすることができる。
【００１４】
ここで、この発明の測定データ管理システムにおいて、前記ネットワークに接続され、且つ前記データ伝送装置を識別する伝送装置識別子と前記所定の形式に基づく前記データセンタ側サーバの識別子とを対応させた対応表部を有するアクセス・サーバをさらに備え、前記データ伝送装置は、前記携帯型電話器へ前記伝送装置識別子を転送する伝送装置識別子転送手段と、前記携帯型電話器から転送された前記データセンタ側サーバの識別子を前記伝送装置側記録部に記録する手段とをさらに備え、前記携帯型電話器は、前記伝送装置識別子転送手段で転送された伝送装置識別子を前記ネットワークを介して前記アクセス・サーバへ送信する伝送装置識別子送信手段と、前記アクセス・サーバから送信された前記データセンタ側サーバの識別子を前記データ伝送装置へ転送する転送手段とをさらに備え、前記アクセス・サーバは、前記伝送装置識別子送信手段で送信された伝送装置識別子に対応した前記所定の形式における前記データセンタ側サーバの識別子を対応表部から検索する検索手段と、前記検索手段で検索された前記データセンタ側サーバの識別子を前記ネットワークを介して前記携帯型電話器へ送信するデータセンタ側サーバ識別子送信手段とを備えることができる。
【００１５】
ここで、この発明の測定データ管理システムにおいて、前記データセンタ側サーバは、サーバ側記録部に記録された第３の期間の測定データを、前記データ伝送装置に接続された前記携帯型電話器から前記ネットワークを介して閲覧可能に記録したウェブ・サイトをさらに備えることができる。
【００１６】
ここで、この発明の測定データ管理システムにおいて、前記データ測定器は前記データ伝送装置と所定のインタフェースで接続された体重体脂肪計であり、前記測定データは前記所定の時間単位で連続して測定された体重データおよび体脂肪量データとすることができる。
【００１７】
ここで、この発明の測定データ管理システムにおいて、前記所定の形式は、ユニフォーム・リソース・ロケータ（Uniform Resource Locator：「ＵＲＬ」という）を用いた形式とすることができる。
【００１８】
この発明のデータ伝送装置は、ネットワークを介して集積された測定データの管理を行う測定データ管理システムにおけるデータ伝送装置であって、該測定データは所定の時間単位で連続して測定されたものであり、該測定データ管理システムは、該データ伝送装置と、該データ伝送装置と脱着可能に接続され且つ第１の期間の測定データを記録した測定器側記録部を有するデータ測定器と、該データ伝送装置と脱着可能に接続され且つ該ネットワークに接続可能な携帯型電話器と、該携帯型電話器と該ネットワークを介して接続されたデータセンタ側サーバとを含み、該データ伝送装置は、第１の期間以上の第２の期間の測定データと所定の形式に基づく前記データセンタ側サーバの識別子とを記録した伝送装置側記録部と、前記データ測定器の測定器側記録部に記録された第１の期間の測定データを取出す測定データ取出手段と、前記測定データ取出手段で取出された第１の期間の測定データと、伝送装置側記録部に記録された第２の期間の測定データとに基づいて、新たに測定された測定データを差分データとして抽出する差分データ抽出手段と、前記差分データ抽出手段で抽出された差分データの量が、前記携帯型電話器から前記ネットワークを介して前記所定の形式により送信可能な所定のデータ量以下であるかどうかを判断するデータ量判断手段と、前記データ量判断手段で差分データの量が所定のデータ量以下であると判断された場合、前記所定の形式に基づいて、前記伝送装置側記録部に記録されたデータセンタ側サーバの識別子と差分データと所定のパスワードとを含むアクセス情報を作成するアクセス情報作成手段と、前記アクセス情報作成手段で作成されたアクセス情報を前記携帯型電話器へ転送するアクセス情報転送手段とを備えたことを特徴とする。
【００１９】
ここで、この発明のデータ伝送装置において、前記データ量判断手段で差分データの量が所定のデータ量を超えると判断された場合、前記所定の形式に基づいて、前記伝送装置側記録部に記録されたデータセンタ側サーバの識別子と第２の期間の測定データの送信を行うことが設定されたデータ量識別子と所定のパスワードとを含む大データ量時アクセス情報を作成する大データ量時アクセス情報作成手段と、前記大データ量時アクセス情報作成手段で作成された大データ量時アクセス情報を前記携帯型電話器へ転送する大データ量時アクセス情報転送手段と、所定の制御入力に基づき、伝送装置側記録部に記録された第２の期間の測定データを前記所定の時間単位毎に前記携帯型電話器へ転送する大データ量時測定データ転送手段とをさらに備えることができる。
【００２０】
ここで、この発明のデータ伝送装置において、前記データセンタ側サーバから前記携帯型電話器へ、前記所定の時間単位としての連続性が無いことを示す情報と第２の期間の測定データの入力を促す情報とを含むデータ不連続時入力画面情報が送信され、該データ不連続時入力画面情報が前記携帯型電話器により表示部に表示された場合、所定の制御入力に基づき、伝送装置側記録部に記録された第２の期間の測定データを前記所定の時間単位毎に前記携帯型電話器へ転送するデータ不連続時測定データ転送手段をさらに備えることができる。
【００２１】
ここで、この発明のデータ伝送装置において、前記データ不連続時入力画面情報は、前記アクセス情報転送手段により前記携帯型電話器へ転送され、該携帯型電話器により前記所定の形式に基づき前記ネットワークを介して前記データセンタ側サーバへ送信されたアクセス情報に含まれる所定のパスワードに基づいて、前記データセンタ側サーバにより認証が行われた場合、第２の期間以上の第３の期間の測定データを記録したサーバ側記録部に記録された第３の期間の測定データの最後の前記所定の時間単位の測定データと、前記アクセス情報に含まれる差分データの最初の前記所定の時間単位の測定データとの間に、前記所定の時間単位としての連続性が有るか否かを判断され、前記所定の時間単位としての連続性が無い判断された場合、前記データセンタ側サーバから前記ネットワークを介して前記携帯型電話器へ送信されることができる。
【００２２】
ここで、この発明のデータ伝送装置において、前記アクセス情報または前記大データ量時アクセス情報に含まれる所定のパスワードは、予め前記データセンタ側サーバから受信した所定の値に基づいて暗号化され、前記ネットワークを介し前記データセンタ側サーバと前記携帯型電話器との間で所定の回数のみ使用可能なパスワードとすることができる。
【００２３】
ここで、この発明のデータ伝送装置において、前記測定データ管理システムは、前記ネットワークに接続され且つ該データ伝送装置を識別する伝送装置識別子と前記所定の形式に基づく前記データセンタ側サーバの識別子とを対応させた対応表部を有するアクセス・サーバをさらに備え、該データ伝送装置は、前記携帯型電話器へ前記伝送装置識別子を転送する伝送装置識別子転送手段と、前記携帯型電話器から転送された前記データセンタ側サーバの識別子を前記伝送装置側記録部に記録する手段とを備え、該データセンタ側サーバの識別子は、前記携帯型電話器が、前記伝送装置識別子転送手段で転送された伝送装置識別子を前記ネットワークを介して前記アクセス・サーバへ送信し、前記アクセス・サーバが、前記携帯型電話器から送信された伝送装置識別子に対応した前記所定の形式における前記データセンタ側サーバの識別子を対応表部から検索し、検索された前記データセンタ側サーバの識別子を前記ネットワークを介して前記携帯型電話器へ送信し、前記携帯型電話器が、前記アクセス・サーバから送信された前記データセンタ側サーバの識別子を前記データ伝送装置へ転送したものとすることができる。
【００２４】
ここで、この発明のデータ伝送装置において、前記データ測定器は前記データ伝送装置と所定のインタフェースで接続された体重体脂肪計であり、前記測定データは前記所定の時間単位で連続して測定された体重データおよび体脂肪量データとすることができる。
【００２５】
ここで、この発明のデータ伝送装置において、前記所定の形式は、ユニフォーム・リソース・ロケータ（Uniform Resource Locator：「ＵＲＬ」という）を用いた形式とすることができる。
【００２６】
この発明のデータ伝送プログラムは、ネットワークを介して集積された測定データの管理を行う測定データ管理システムにおけるデータ伝送プログラムであって、該測定データは所定の時間単位で連続して測定されたものであり、該測定データ管理システムは、該データ伝送プログラムを実行するコンピュータを有するデータ伝送装置と、該データ伝送装置と脱着可能に接続され且つ第１の期間の測定データを記録した測定器側記録部を有するデータ測定器と、該データ伝送装置と脱着可能に接続され且つ該ネットワークに接続可能な携帯型電話器と、該携帯型電話器と該ネットワークを介して接続されたデータセンタ側サーバとを含み、該データ伝送装置は、第１の期間以上の第２の期間の測定データと所定の形式に基づく前記データセンタ側サーバの識別子とを記録した伝送装置側記録部とを有しており、データ伝送装置のコンピュータを、前記データ測定器の測定器側記録部に記録された第１の期間の測定データを取出す測定データ取出手段、前記測定データ取出手段で取出された第１の期間の測定データと、伝送装置側記録部に記録された第２の期間の測定データとに基づいて、新たに測定された測定データを差分データとして抽出する差分データ抽出手段、前記差分データ抽出手段で抽出された差分データの量が、前記携帯型電話器から前記ネットワークを介して前記所定の形式により送信可能な所定のデータ量以下であるかどうかを判断するデータ量判断手段、前記データ量判断手段で差分データの量が所定のデータ量以下であると判断された場合、前記所定の形式に基づいて、前記伝送装置側記録部に記録されたデータセンタ側サーバの識別子と差分データと所定のパスワードとを含むアクセス情報を作成するアクセス情報作成手段、前記アクセス情報作成手段で作成されたアクセス情報を前記携帯型電話器へ転送するアクセス情報転送手段  として機能させるためのデータ伝送プログラムである。
【００２７】
ここで、この発明のデータ伝送プログラムにおいて、前記データ量判断手段で差分データの量が所定のデータ量を超えると判断された場合、前記所定の形式に基づいて、前記伝送装置側記録部に記録されたデータセンタ側サーバの識別子と第２の期間の測定データの送信を行うことが設定されたデータ量識別子と所定のパスワードとを含む大データ量時アクセス情報を作成する大データ量時アクセス情報作成手段と、前記大データ量時アクセス情報作成手段で作成された大データ量時アクセス情報を前記携帯型電話器へ転送する大データ量時アクセス情報転送手段と、所定の制御入力に基づき、伝送装置側記録部に記録された第２の期間の測定データを前記所定の時間単位毎に前記携帯型電話器へ転送する大データ量時測定データ転送手段とをさらに備えることができる。
【００２８】
ここで、この発明のデータ伝送プログラムにおいて、前記データセンタ側サーバから前記携帯型電話器へ、前記所定の時間単位としての連続性が無いことを示す情報と第２の期間の測定データの入力を促す情報とを含むデータ不連続時入力画面情報が送信され、該データ不連続時入力画面情報が前記携帯型電話器により表示部に表示された場合、所定の制御入力に基づき、伝送装置側記録部に記録された第２の期間の測定データを前記所定の時間単位毎に前記携帯型電話器へ転送するデータ不連続時測定データ転送手段をさらに備えることができる。
【００２９】
ここで、この発明のデータ伝送プログラムにおいて、前記データ不連続時入力画面情報は、前記アクセス情報転送手段により前記携帯型電話器へ転送され、該携帯型電話器により前記所定の形式に基づき前記ネットワークを介して前記データセンタ側サーバへ送信されたアクセス情報に含まれる所定のパスワードに基づいて、前記データセンタ側サーバにより認証が行われた場合、第２の期間以上の第３の期間の測定データを記録したサーバ側記録部に記録された第３の期間の測定データの最後の前記所定の時間単位の測定データと、前記アクセス情報に含まれる差分データの最初の前記所定の時間単位の測定データとの間に、前記所定の時間単位としての連続性が有るか否かを判断され、前記所定の時間単位としての連続性が無い判断された場合、前記データセンタ側サーバから前記ネットワークを介して前記携帯型電話器へ送信されることができる。
【００３０】
ここで、この発明のデータ伝送プログラムにおいて、前記アクセス情報または前記大データ量時アクセス情報に含まれる所定のパスワードは、予め前記データセンタ側サーバから受信した所定の値に基づいて暗号化され、前記ネットワークを介し前記データセンタ側サーバと前記携帯型電話器との間で所定の回数のみ使用可能なパスワードとすることができる。
【００３１】
ここで、この発明のデータ伝送プログラムにおいて、前記測定データ管理システムは、前記ネットワークに接続され且つ該データ伝送装置を識別する伝送装置識別子と前記所定の形式に基づく前記データセンタ側サーバの識別子とを対応させた対応表部を有するアクセス・サーバをさらに備え、該データ伝送装置は、前記携帯型電話器へ前記伝送装置識別子を転送する伝送装置識別子転送手段と、前記携帯型電話器から転送された前記データセンタ側サーバの識別子を前記伝送装置側記録部に記録する手段とを備え、該データセンタ側サーバの識別子は、前記携帯型電話器が、前記伝送装置識別子転送手段で転送された伝送装置識別子を前記ネットワークを介して前記アクセス・サーバへ送信し、前記アクセス・サーバが、前記携帯型電話器から送信された伝送装置識別子に対応した前記所定の形式における前記データセンタ側サーバの識別子を対応表部から検索し、検索された前記データセンタ側サーバの識別子を前記ネットワークを介して前記携帯型電話器へ送信し、前記携帯型電話器が、前記アクセス・サーバから送信された前記データセンタ側サーバの識別子を前記データ伝送装置へ転送したものとすることができる。
【００３２】
ここで、この発明のデータ伝送プログラムにおいて、前記データ測定器は前記データ伝送装置と所定のインタフェースで接続された体重体脂肪計であり、前記測定データは前記所定の時間単位で連続して測定された体重データおよび体脂肪量データとすることができる。
【００３３】
ここで、この発明のデータ伝送プログラムにおいて、前記所定の形式は、ユニフォーム・リソース・ロケータ（Uniform Resource Locator：「ＵＲＬ」という）を用いた形式とすることができる。
【００３４】
この発明の記録媒体は、この発明のいずれかのデータ伝送プログラムを記録したコンピュータ読取り可能な記録媒体である。
【００３５】
この発明の測定データ管理方法は、ネットワークを介して集積された測定データの管理を行う測定データ管理方法であって、該測定データは所定の時間単位で連続して測定されたものであり、第１の期間の測定データを記録した測定器側記録部を有するデータ測定器と、該データ測定器と脱着可能に接続されたデータ伝送装置であって第１の期間以上の第２の期間の測定データを記録した伝送装置側記録部を有するものと、該データ伝送装置と脱着可能に接続され該ネットワークに接続可能な携帯型電話器と、該携帯型電話器と該ネットワークを介して接続され第２の期間以上の第３の期間の測定データを記録したサーバ側記録部を有するデータセンタ側サーバとを用い、前記伝送装置側記録部は所定の形式に基づく該データセンタ側サーバの識別子をさらに記録しており、前記データ伝送装置が、前記データ測定器の測定器側記録部に記録された第１の期間の測定データを取出す測定データ取出ステップと、前記測定データ取出ステップで取出された第１の期間の測定データと、伝送装置側記録部に記録された第２の期間の測定データとに基づいて、新たに測定された測定データを差分データとして抽出する差分データ抽出ステップと、前記差分データ抽出ステップで抽出された差分データの量が、前記携帯型電話器から前記ネットワークを介して前記所定の形式により送信可能な所定のデータ量以下であるかどうかを判断するデータ量判断ステップと、前記データ量判断ステップで差分データの量が所定のデータ量以下であると判断された場合、前記所定の形式に基づいて、前記伝送装置側記録部に記録されたデータセンタ側サーバの識別子と差分データと所定のパスワードとを含むアクセス情報を作成するアクセス情報作成ステップと、前記アクセス情報作成ステップで作成されたアクセス情報を前記携帯型電話器へ転送するアクセス情報転送ステップと、前記携帯型電話器が、前記アクセス情報転送ステップで転送されたアクセス情報を、前記所定の形式に基づいて前記ネットワークを介して前記データセンタ側サーバへ送信するアクセス情報送信ステップと、前記データセンタ側サーバが、前記アクセス情報送信ステップで送信されたアクセス情報に含まれる所定のパスワードに基づき認証を行う認証ステップと、前記認証ステップで認証された場合、前記サーバ側記録部に記録された第３の期間の測定データの最後の前記所定の時間単位の測定データと、前記アクセス情報送信ステップで送信されたアクセス情報に含まれる差分データの最初の前記所定の時間単位の測定データとの間に、前記所定の時間単位としての連続性が有るか否かを判断する測定データ連続性判断ステップと、前記測定データ連続性判断ステップで前記所定の時間単位としての連続性が有ると判断された場合、所定の受付完了情報を前記ネットワークを介して前記携帯型電話器へ送信する受付完了情報送信ステップと、前記携帯型電話器が、前記受付完了情報送信ステップで送信された所定の受付完了情報を表示部に表示する受付完了情報表示ステップとを備えたことを特徴とする。
【００３６】
ここで、この発明の測定データ管理方法において、前記データ量判断ステップで差分データの量が所定のデータ量を超えると判断された場合、前記データ伝送装置が、前記所定の形式に基づいて、前記伝送装置側記録部に記録されたデータセンタ側サーバの識別子と第２の期間の測定データの送信を行うことが設定されたデータ量識別子と所定のパスワードとを含む大データ量時アクセス情報を作成する大データ量時アクセス情報作成ステップと、前記大データ量時アクセス情報作成ステップで作成された大データ量時アクセス情報を前記携帯型電話器へ転送する大データ量時アクセス情報転送ステップと、前記携帯型電話器が、前記大データ量時アクセス情報転送ステップで転送された大データ量時アクセス情報を前記ネットワークを介して前記データセンタ側サーバへ送信する大データ量時アクセス情報送信ステップと、前記データセンタ側サーバが、前記大データ量時アクセス情報送信ステップで送信された大データ量時アクセス情報に含まれる所定のパスワードに基づき認証を行う大データ量時認証ステップと、前記大データ量時認証ステップで認証された場合、第２の期間の測定データの入力を促す大データ量時入力画面情報を前記携帯型電話器へ送信する大データ量時入力画面情報送信ステップと、前記携帯型電話器が、前記大データ量時入力画面情報送信ステップで送信された大データ量時入力画面情報を表示部に表示する大データ量時入力画面情報表示ステップと、前記データ伝送装置が、所定の制御入力に基づき、伝送装置側記録部に記録された第２の期間の測定データを前記所定の時間単位毎に前記携帯型電話器へ転送する大データ量時測定データ転送ステップと、前記携帯型電話器が、前記大データ量時測定データ転送ステップで転送された前記所定の時間単位毎の第２の期間の測定データを、前記大データ量時入力画面情報に従い前記所定の時間単位毎に、前記ネットワークを介して前記データセンタ側サーバへ送信する大データ量時測定データ送信ステップと、前記データセンタ側サーバが、前記大データ量時測定データ送信ステップで送信された前記所定の時間単位毎の第２の期間の測定データをすべて受信した後、所定の大データ量時測定データ受付完了情報を前記携帯型電話器へ送信する大データ量時測定データ受付完了情報送信ステップと、前記携帯型電話器が、前記大データ量時測定データ受付完了情報送信ステップで送信された所定の大データ量時測定データ受付完了情報を表示部に表示する大データ量時測定データ受付完了情報表示ステップとをさらに備えることができる。
【００３７】
ここで、この発明の測定データ管理方法において、前記測定データ連続性判断ステップで前記所定の時間単位としての連続性が無いと判断された場合、前記データセンタ側サーバが、第２の期間の測定データの入力を促すデータ不連続時入力画面情報を前記携帯型電話器へ送信するデータ不連続時入力画面情報送信ステップと、前記携帯型電話器が、前記データ不連続時入力画面情報送信ステップで送信されたデータ不連続時入力画面情報を表示部に表示するデータ不連続時入力画面情報表示ステップと、前記データ伝送装置が、所定の制御入力に基づき、伝送装置側記録部に記録された第２の期間の測定データを前記所定の時間単位毎に前記携帯型電話器へ転送するデータ不連続時測定データ転送ステップと、前記携帯型電話器が、前記データ不連続時測定データ転送ステップで転送された前記所定の時間単位毎の第２の期間の測定データを、前記データ不連続時入力画面情報に従い前記所定の時間単位毎に、前記ネットワークを介して前記データセンタ側サーバへ送信するデータ不連続時測定データ送信ステップと、前記データセンタ側サーバが、前記データ不連続時測定データ送信ステップで送信された前記所定の時間単位毎の第２の期間の測定データをすべて受信した後、所定のデータ不連続時測定データ受付完了情報を前記携帯型電話器へ送信するデータ不連続時測定データ受付完了情報送信ステップと、前記携帯型電話器が、前記データ不連続時測定データ受付完了情報送信ステップで送信された所定のデータ不連続時測定データ受付完了情報を表示部に表示するデータ不連続時測定データ受付完了情報表示ステップとをさらに備えることができる。
【００３８】
ここで、この発明の測定データ管理方法において、前記アクセス情報または前記大データ量時アクセス情報に含まれる所定のパスワードは、予め前記データセンタ側サーバから受信した所定の値に基づいて暗号化され、前記ネットワークを介し前記データセンタ側サーバと前記携帯型電話器との間で所定の回数のみ使用可能なパスワードとすることができる。
【００３９】
ここで、この発明の測定データ管理方法において、前記ネットワークに接続され、且つ前記データ伝送装置を識別する伝送装置識別子と前記所定の形式に基づく前記データセンタ側サーバの識別子とを対応させた対応表部を有するアクセス・サーバをさらに備え、前記アクセス情報作成ステップまたは前記大データ量時アクセス情報作成ステップに先立ち、前記データ伝送装置が、前記携帯型電話器へ前記伝送装置識別子を転送する伝送装置識別子転送ステップと、前記携帯型電話器が、前記伝送装置識別子転送ステップで転送された伝送装置識別子を前記ネットワークを介して前記アクセス・サーバへ送信する伝送装置識別子送信ステップと、前記アクセス・サーバが、前記伝送装置識別子送信ステップで送信された伝送装置識別子に対応した前記所定の形式における前記データセンタ側サーバの識別子を対応表部から検索する検索ステップと、前記検索ステップで検索された前記データセンタ側サーバの識別子を前記ネットワークを介して前記携帯型電話器へ送信するデータセンタ側サーバ識別子送信ステップと、前記携帯型電話器が、前記データセンタ側サーバ識別子送信ステップで送信された前記データセンタ側サーバの識別子を前記データ伝送装置へ転送する転送ステップと、前記データ伝送装置が、前記転送ステップで転送された前記データセンタ側サーバの識別子を前記伝送装置側記録部に記録するステップとをさらに備えることができる。
【００４０】
ここで、この発明の測定データ管理方法において、前記データセンタ側サーバは、サーバ側記録部に記録された第３の期間の測定データを、前記データ伝送装置に接続された前記携帯型電話器から前記ネットワークを介して閲覧可能に記録したウェブ・サイトをさらに備えることができる。
【００４１】
ここで、この発明の測定データ管理方法において、前記データ測定器は前記データ伝送装置と所定のインタフェースで接続された体重体脂肪計であり、前記測定データは前記所定の時間単位で連続して測定された体重データおよび体脂肪量データとすることができる。
【００４２】
ここで、この発明の測定データ管理方法において、前記所定の形式は、ユニフォーム・リソース・ロケータ（Uniform Resource Locator：「ＵＲＬ」という）を用いた形式とすることができる。
【００４３】
この発明の測定データ管理システムは、ネットワークを介して集積された測定データの管理を行う測定データ管理システムであって、該測定データは所定の時間単位で連続して測定されたものであり、測定データを記録した測定器側記録部を有するデータ測定器と、前記データ測定器と脱着可能に接続され該ネットワークに接続可能な情報端末装置と、前記情報端末装置と該ネットワークを介して接続され、該情報端末装置から送信された測定データを該情報端末装置毎に記録したサーバ側記録部を有するデータセンタ側サーバとを備え、前記情報端末装置は、接続されたデータ測定器を所定の手順に基づき識別するデータ測定器識別手段と、前記データ測定器識別手段により識別されたデータ測定器に応じた所定の通信手順に基づき、該データ測定器の識別子と該データ測定器の測定器側記録部に記録された測定データとを少なくとも含む測定データ情報を取出す測定データ情報取出手段と、データセンタ側サーバのアクセスポイントの電話番号を作成する電話番号作成手段と、前記電話番号作成手段により作成されたデータセンタ側サーバのアクセスポイントの電話番号と、前記測定データ情報取出手段により取り出された測定データ情報と、情報端末装置の識別子及び所定のパスワードとを含む送信データ情報を作成する送信データ情報作成手段と、前記送信データ情報作成手段により作成された送信データ情報に所定の変換を施して、該送信データ情報に含まれるデータセンタ側サーバのアクセスポイントの電話番号を用いることにより前記ネットワークを介して前記データセンタ側サーバへ送信する送信データ情報送信手段と、前記データセンタ側サーバから送信された所定の受付完了情報を表示部に表示する受付完了情報表示手段とを備え、前記データセンタ側サーバは、前記送信データ情報送信手段により送信された送信データ情報に含まれる所定のパスワードに基づき認証を行う認証手段と、前記認証手段で認証された場合、前記送信データ情報送信手段により送信された送信データ情報に含まれる測定データ情報が所定のヘッダを有しているか否かを判断するデータ測定器ヘッダ判断手段と、前記データ測定器ヘッダ判断手段により測定データ情報が所定のヘッダを有していると判断された場合、前記送信データ情報送信手段により送信された送信データ情報に基づき得られた情報端末装置の電話番号と前記所定のヘッダとに基づき、サーバ側記録部に記録された対応する従前の測定データを特定する測定データ特定手段と、前記送信データ情報送信手段により送信された送信データ情報に含まれる測定データと前記測定データ特定手段により特定された従前の測定データとに基づき、新たに測定された測定データを差分データとして抽出する差分データ抽出手段と、前記測定データ特定手段により特定された従前の測定データの最後の前記所定の時間単位の測定データと、前記差分データ抽出手段により抽出された差分データの最初の前記所定の時間単位の測定データとの間に、前記所定の時間単位としての連続性が有るか否かを判断する測定データ連続性判断手段と、前記測定データ連続性判断手段で前記所定の時間単位としての連続性が有ると判断された場合、所定の受付完了情報を前記ネットワークを介して前記情報端末装置へ送信する受付完了情報送信手段と、前記測定データ連続性判断手段で前記所定の時間単位としての連続性が有ると判断された場合、前記差分データ抽出手段により抽出された差分データを前記測定データ特定手段により特定された従前の測定データに続けて前記サーバ側記録部に記録する測定データ更新手段とを備えたことを特徴とする。
【００４４】
ここで、この発明の測定データ管理システムにおいて、前記情報端末装置は、前記データ測定器と脱着可能に接続されたデータ伝送装置と該データ伝送装置と脱着可能に接続され該ネットワークに接続可能な携帯型電話器とにより構成され、前記データセンタ側サーバは前記携帯型電話器と該ネットワークを介して接続され、前記サーバ側記録部は該携帯型電話器から送信された測定データを該携帯型電話器毎に記録しており、前記データ伝送装置側は、前記データ測定器識別手段と、前記測定データ情報取出手段と、前記電話番号作成手段と、前記送信データ情報作成手段と、該送信データ情報作成手段により作成された送信データ情報に所定の変換を施して前記携帯型電話器へ転送する送信データ情報転送手段とにより構成され、該電話番号作成手段は、接続された携帯型電話器から該携帯型電話器の電話番号を受信して、受信した該電話番号に基づきデータセンタ側サーバのアクセスポイントの電話番号を作成するものであり、前記携帯型電話器側は、前記送信データ情報転送手段により転送された送信データ情報を、該送信データ情報に含まれるデータセンタ側サーバのアクセスポイントの電話番号を用いることにより前記ネットワークを介して前記データセンタ側サーバへ送信する送信データ情報送信手段と、前記受付完了情報表示手段とにより構成され、前記データセンタ側サーバの測定データ特定手段は、前記データ測定器ヘッダ判断手段により測定データ情報が所定のヘッダを有していると判断された場合、前記送信データ情報送信手段により送信された送信データ情報に含まれる携帯型電話器の電話番号と前記所定のヘッダとに基づき、サーバ側記録部に記録された対応する従前の測定データを特定し、前記受付完了情報送信手段は、前記測定データ連続性判断手段で前記所定の時間単位としての連続性が有ると判断された場合、所定の受付完了情報を前記ネットワークを介して前記携帯型電話器へ送信することができる。
【００４５】
ここで、この発明の測定データ管理システムにおいて、前記電話番号作成手段は、前記データ伝送装置と前記携帯型電話器との接続形態に基づきデータセンタ側サーバのアクセスポイントの電話番号を作成し、前記サーバ側記録部は該携帯型電話器から送信された測定データを前記データ伝送装置毎に記録したものとすることができる。
【００４６】
ここで、この発明の測定データ管理システムにおいて、前記測定データ特定手段は、測定データ情報が所定のヘッダを有していると判断されなかった場合、前記送信データ情報送信手段により送信された送信データ情報に含まれるデータ測定器の識別子に基づき所定のヘッダを作成し、該所定のヘッダと該送信データ情報に含まれる携帯型電話器の電話番号とに基づき、サーバ側記録部に記録された対応する従前の測定データを特定することができる。
【００４７】
ここで、この発明の測定データ管理システムにおいて、前記データ伝送装置の前記送信データ情報転送手段が前記送信データ情報作成手段により作成された送信データ情報に施す所定の変換は、ＨＴＴＰ（HyperText Transfer Protocol）であるものとすることができる。
【００４８】
ここで、この発明の測定データ管理システムにおいて、前記データセンタ側サーバのデータ測定器ヘッダ判断手段により判断される所定のヘッダは、前記データ測定器を製造したメーカの識別子及び該データ測定器の種別を示す機種識別子であるものとすることができる。
【００４９】
この発明の情報端末装置は、ネットワークを介して集積された測定データの管理を行う測定データ管理システムにおける該ネットワークに接続可能な情報端末装置であって、該測定データは所定の時間単位で連続して測定されたものであり、該測定データ管理システムは、該情報端末装置と、該情報端末装置と脱着可能に接続され且つ測定データを記録した測定器側記録部を有するデータ測定器と、該情報端末装置と該ネットワークを介して接続され、該情報端末装置から送信された測定データを該情報端末装置毎に記録したサーバ側記録部を有するデータセンタ側サーバとを含み、該情報端末装置は、接続されたデータ測定器を所定の手順に基づき識別するデータ測定器識別手段と、前記データ測定器識別手段により識別されたデータ測定器に応じた所定の通信手順に基づき、該データ測定器の識別子と該データ測定器の測定器側記録部に記録された測定データとを少なくとも含む測定データ情報を取出す測定データ情報取出手段と、データセンタ側サーバのアクセスポイントの電話番号を作成する電話番号作成手段と、前記電話番号作成手段により作成されたデータセンタ側サーバのアクセスポイントの電話番号と、前記測定データ情報取出手段により取り出された測定データ情報と、情報端末装置の識別子及び所定のパスワードとを含む送信データ情報を作成する送信データ情報作成手段と、前記送信データ情報作成手段により作成された送信データ情報に所定の変換を施して、該送信データ情報に含まれるデータセンタ側サーバのアクセスポイントの電話番号を用いることにより前記ネットワークを介して前記データセンタ側サーバへ送信する送信データ情報送信手段と、前記データセンタ側サーバから送信された所定の受付完了情報を表示部に表示する受付完了情報表示手段とを備えたことを特徴とする。
【００５０】
この発明のデータ伝送装置は、ネットワークを介して集積された測定データの管理を行う測定データ管理システムにおけるデータ伝送装置であって、該測定データは所定の時間単位で連続して測定されたものであり、該測定データ管理システムは、該データ伝送装置と、該データ伝送装置と脱着可能に接続され且つ測定データを記録した測定器側記録部を有するデータ測定器と、該データ伝送装置と脱着可能に接続され該ネットワークに接続可能な携帯型電話器と、該携帯型電話器と該ネットワークを介して接続され、該携帯型電話器から送信された測定データを該携帯型電話器毎に記録したサーバ側記録部を有するデータセンタ側サーバとを含み、該データ伝送装置は、接続されたデータ測定器を所定の手順に基づき識別するデータ測定器識別手段と、前記データ測定器識別手段により識別されたデータ測定器に応じた所定の通信手順に基づき、該データ測定器の識別子と該データ測定器の測定器側記録部に記録された測定データとを少なくとも含む測定データ情報を取出す測定データ情報取出手段と、接続された携帯型電話器から該携帯型電話器の電話番号を受信する電話番号受信手段と、前記電話番号受信手段により受信した電話番号に基づき作成されたデータセンタ側サーバのアクセスポイントの電話番号と、前記測定データ情報取出手段により取り出された測定データ情報と、データ伝送装置の識別子及び所定のパスワードとを含む送信データ情報を作成する送信データ情報作成手段と、前記送信データ情報作成手段により作成された送信データ情報に所定の変換を施して前記携帯型電話器へ転送する送信データ情報転送手段とを備えたことを特徴とする。
【００５１】
ここで、この発明のデータ伝送装置において、前記電話番号受信手段に替えて、前記データ伝送装置と前記携帯型電話器との接続形態に基づきデータセンタ側サーバのアクセスポイントの電話番号を作成する電話番号作成手段を備え、前記送信データ情報作成手段は、前記電話番号作成手段により作成されたデータセンタ側サーバのアクセスポイントの電話番号と、前記測定データ情報取出手段により取り出された測定データ情報と、データ伝送装置の識別子及び所定のパスワードとを含む送信データ情報を作成し、前記サーバ側記録部は該携帯型電話器から送信された測定データを前記データ伝送装置毎に記録したものとすることができる。
【００５２】
この発明のデータ伝送プログラムは、ネットワークを介して集積された測定データの管理を行う測定データ管理システムにおける情報端末装置上で実行されるデータ伝送プログラムであって、該測定データは所定の時間単位で連続して測定されたものであり、該測定データ管理システムは、該情報端末装置と、該情報端末装置と脱着可能に接続され且つ測定データを記録した測定器側記録部を有するデータ測定器と、該情報端末装置と該ネットワークを介して接続され、該情報端末装置から送信された測定データを該情報端末装置毎に記録したサーバ側記録部を有するデータセンタ側サーバとを含み、情報端末装置のコンピュータを、接続されたデータ測定器を所定の手順に基づき識別するデータ測定器識別手段、前記データ測定器識別手段により識別されたデータ測定器に応じた所定の通信手順に基づき、該データ測定器の識別子と該データ測定器の測定器側記録部に記録された測定データとを少なくとも含む測定データ情報を取出す測定データ情報取出手段、データセンタ側サーバのアクセスポイントの電話番号を作成する電話番号作成手段、前記電話番号作成手段により作成されたデータセンタ側サーバのアクセスポイントの電話番号と、前記測定データ情報取出手段により取り出された測定データ情報と、情報端末装置の識別子及び所定のパスワードとを含む送信データ情報を作成する送信データ情報作成手段、前記送信データ情報作成手段により作成された送信データ情報に所定の変換を施して、該送信データ情報に含まれるデータセンタ側サーバのアクセスポイントの電話番号を用いることにより前記ネットワークを介して前記データセンタ側サーバへ送信する送信データ情報送信手段、前記データセンタ側サーバから送信された所定の受付完了情報を表示部に表示する受付完了情報表示手段として機能させるためのデータ伝送プログラムである。
【００５３】
この発明のデータ伝送プログラムは、ネットワークを介して集積された測定データの管理を行う測定データ管理システムにおけるデータ伝送装置上で実行されるデータ伝送プログラムであって、該測定データは所定の時間単位で連続して測定されたものであり、該測定データ管理システムは、該データ伝送装置と、該データ伝送装置と脱着可能に接続され且つ測定データを記録した測定器側記録部を有するデータ測定器と、該データ伝送装置と脱着可能に接続され該ネットワークに接続可能な携帯型電話器と、該携帯型電話器と該ネットワークを介して接続され、該携帯型電話器から送信された測定データを該携帯型電話器毎に記録したサーバ側記録部を有するデータセンタ側サーバとを含み、データ伝送装置のコンピュータを、接続されたデータ測定器を所定の手順に基づき識別するデータ測定器識別手段、前記データ測定器識別手段により識別されたデータ測定器に応じた所定の通信手順に基づき、該データ測定器の識別子と該データ測定器の測定器側記録部に記録された測定データとを少なくとも含む測定データ情報を取出す測定データ情報取出手段、接続された携帯型電話器から該携帯型電話器の電話番号を受信する電話番号受信手段、前記電話番号受信手段により受信した電話番号に基づき作成されたデータセンタ側サーバのアクセスポイントの電話番号と、前記測定データ情報取出手段により取り出された測定データ情報と、データ伝送装置の識別子及び所定のパスワードとを含む送信データ情報を作成する送信データ情報作成手段、前記送信データ情報作成手段により作成された送信データ情報に所定の変換を施して前記携帯型電話器へ転送する送信データ情報転送手段として機能させるためのデータ伝送プログラムである。
【００５４】
この発明の記録媒体は、本発明のいずれかのデータ伝送プログラムを記録したコンピュータ読み取り可能な記録媒体である。
【００５５】
この発明の測定データ管理方法は、ネットワークを介して集積された測定データの管理を行う測定データ管理方法であって、該測定データは所定の時間単位で連続して測定されたものであり、測定データを記録した測定器側記録部を有するデータ測定器と、前記データ測定器と脱着可能に接続された該ネットワークに接続可能な情報端末装置と、前記情報端末装置と該ネットワークを介して接続され、該情報端末装置から送信された測定データを該情報端末装置毎に記録したサーバ側記録部を有するデータセンタ側サーバとを用いるものであり、前記情報端末装置が、接続されたデータ測定器を所定の手順に基づき識別するデータ測定器識別ステップと、前記データ測定器識別ステップにより識別されたデータ測定器に応じた所定の通信手順に基づき、該データ測定器の識別子と該データ測定器の測定器側記録部に記録された測定データとを少なくとも含む測定データ情報を取出す測定データ情報取出ステップと、データセンタ側サーバのアクセスポイントの電話番号を作成する電話番号作成ステップと、前記電話番号作成ステップにより作成されたデータセンタ側サーバのアクセスポイントの電話番号と、前記測定データ情報取出ステップにより取り出された測定データ情報と、情報端末装置の識別子及び所定のパスワードとを含む送信データ情報を作成する送信データ情報作成ステップと、前記送信データ情報作成ステップにより作成された送信データ情報に所定の変換を施して、該送信データ情報に含まれるデータセンタ側サーバのアクセスポイントの電話番号を用いることにより前記ネットワークを介して前記データセンタ側サーバへ送信する送信データ情報送信ステップと、前記データセンタ側サーバが、前記送信データ情報送信ステップにより送信された送信データ情報に含まれる所定のパスワードに基づき認証を行う認証ステップと、前記認証ステップで認証された場合、前記送信データ情報送信ステップにより送信された送信データ情報に含まれる測定データ情報が所定のヘッダを有しているか否かを判断するデータ測定器ヘッダ判断ステップと、前記データ測定器ヘッダ判断ステップにより測定データ情報が所定のヘッダを有していると判断された場合、前記送信データ情報送信ステップにより送信された送信データ情報に基づいて得られる情報端末装置の電話番号と前記所定のヘッダとに基づき、サーバ側記録部に記録された対応する従前の測定データを特定する測定データ特定ステップと、前記送信データ情報送信ステップにより送信された送信データ情報に含まれる測定データと前記測定データ特定ステップにより特定された従前の測定データとに基づき、新たに測定された測定データを差分データとして抽出する差分データ抽出ステップと、前記測定データ特定ステップにより特定された従前の測定データの最後の前記所定の時間単位の測定データと、前記差分データ抽出ステップにより抽出された差分データの最初の前記所定の時間単位の測定データとの間に、前記所定の時間単位としての連続性が有るか否かを判断する測定データ連続性判断ステップと、前記測定データ連続性判断ステップで前記所定の時間単位としての連続性が有ると判断された場合、所定の受付完了情報を前記ネットワークを介して前記情報端末装置へ送信する受付完了情報送信ステップと、前記測定データ連続性判断ステップで前記所定の時間単位としての連続性が有ると判断された場合、前記差分データ抽出ステップにより抽出された差分データを前記測定データ特定ステップにより特定された従前の測定データに続けて前記サーバ側記録部に記録する測定データ更新ステップと、前記情報端末装置が、前記データセンタ側サーバから送信された所定の受付完了情報を表示部に表示する受付完了情報表示ステップとを備えたことを特徴とする。
【００５６】
この発明の測定データ管理方法は、ネットワークを介して集積された測定データの管理を行う測定データ管理方法であって、該測定データは所定の時間単位で連続して測定されたものであり、測定データを記録した測定器側記録部を有するデータ測定器と、前記データ測定器と脱着可能に接続されたデータ伝送装置と、前記データ伝送装置と脱着可能に接続され該ネットワークに接続可能な携帯型電話器と、前記携帯型電話器と該ネットワークを介して接続され、該携帯型電話器から送信された測定データを該携帯型電話器毎に記録したサーバ側記録部を有するデータセンタ側サーバとを用いるものであり、前記データ伝送装置が、接続されたデータ測定器を所定の手順に基づき識別するデータ測定器識別ステップと、前記データ測定器識別ステップにより識別されたデータ測定器に応じた所定の通信手順に基づき、該データ測定器の識別子と該データ測定器の測定器側記録部に記録された測定データとを少なくとも含む測定データ情報を取出す測定データ情報取出ステップと、接続された携帯型電話器から該携帯型電話器の電話番号を受信する電話番号受信ステップと、前記電話番号受信ステップにより受信した電話番号に基づき作成されたデータセンタ側サーバのアクセスポイントの電話番号と、前記測定データ情報取出ステップにより取り出された測定データ情報と、データ伝送装置の識別子及び所定のパスワードとを含む送信データ情報を作成する送信データ情報作成ステップと、前記送信データ情報作成ステップにより作成された送信データ情報に所定の変換を施して前記携帯型電話器へ転送する送信データ情報転送ステップと、前記携帯型電話器が、前記送信データ情報転送ステップにより転送された送信データ情報を、該送信データ情報に含まれるデータセンタ側サーバのアクセスポイントの電話番号を用いることにより前記ネットワークを介して前記データセンタ側サーバへ送信する送信データ情報送信ステップと、前記データセンタ側サーバが、前記送信データ情報送信ステップにより送信された送信データ情報に含まれる所定のパスワードに基づき認証を行う認証ステップと、前記認証ステップで認証された場合、前記送信データ情報送信ステップにより送信された送信データ情報に含まれる測定データ情報が所定のヘッダを有しているか否かを判断するデータ測定器ヘッダ判断ステップと、前記データ測定器ヘッダ判断ステップにより測定データ情報が所定のヘッダを有していると判断された場合、前記送信データ情報送信ステップにより送信された送信データ情報に含まれる携帯型電話器の電話番号と前記所定のヘッダとに基づき、サーバ側記録部に記録された対応する従前の測定データを特定する測定データ特定ステップと、前記送信データ情報送信ステップにより送信された送信データ情報に含まれる測定データと前記測定データ特定ステップにより特定された従前の測定データとに基づき、新たに測定された測定データを差分データとして抽出する差分データ抽出ステップと、前記測定データ特定ステップにより特定された従前の測定データの最後の前記所定の時間単位の測定データと、前記差分データ抽出ステップにより抽出された差分データの最初の前記所定の時間単位の測定データとの間に、前記所定の時間単位としての連続性が有るか否かを判断する測定データ連続性判断ステップと、前記測定データ連続性判断ステップで前記所定の時間単位としての連続性が有ると判断された場合、所定の受付完了情報を前記ネットワークを介して前記携帯型電話器へ送信する受付完了情報送信ステップと、前記測定データ連続性判断ステップで前記所定の時間単位としての連続性が有ると判断された場合、前記差分データ抽出ステップにより抽出された差分データを前記測定データ特定ステップにより特定された従前の測定データに続けて前記サーバ側記録部に記録する測定データ更新ステップと、前記携帯型電話器が、前記データセンタ側サーバから送信された所定の受付完了情報を表示部に表示する受付完了情報表示ステップとを備えたことを特徴とする。
【００５７】
ここで、この発明の測定データ管理方法において、前記電話番号受信ステップに替えて、前記データ伝送装置と前記携帯型電話器との接続形態に基づきデータセンタ側サーバのアクセスポイントの電話番号を作成する電話番号作成ステップを備え、前記送信データ情報作成ステップは、前記電話番号作成ステップで作成されたデータセンタ側サーバのアクセスポイントの電話番号と、前記測定データ情報取出手段により取り出された測定データ情報と、データ伝送装置の識別子及び所定のパスワードとを含む送信データ情報を作成し、前記サーバ側記録部は該携帯型電話器から送信された測定データを前記データ伝送装置毎に記録したものとすることができる。
【発明の効果】
【００５８】
本発明の測定データ管理システム等によれば、差分データの量が所定のデータ量以下の場合は、ＵＲＬパラメータを用いたアクセス情報として送信することにより測定データを高速に送信することができる。差分データの量が所定のデータ量より大きい場合は、まず、その旨を示すフラグを立てた大データ量時アクセス情報を送信し、続いて例えば日毎の測定データをキーシュミレーションしながら表示部に表示しつつ送信していくことができる。このため、ユーザは携帯型電話器等のテンキー部により入力することなく、大データ量をデータセンタ側サーバへ高速に送信することができる。したがって、測定データを当該測定データの量に応じ、携帯型電話器等のテンキー部により入力することなく、データセンタ側サーバへ高速に送信することができる測定データ管理システム等を提供することができるという効果がある。
【００５９】
さらにデータセンタ側サーバに、サーバ側記録部に記録された最後の所定の時間単位の測定データと、送信された差分データの最初の所定の時間単位の測定データとの間に、所定の時間単位としての連続性が有るか否かを判断する測定データ連続性判断部を設けることができる。測定データに連続性が無いと判断された場合、伝送装置側記録部に記録された測定データをすべてサーバ側記録部へ送信させることにより、データの不連続性を解消させることができる。この結果、電波状態により携帯型電話器等側が送信を完了とみなしてしまい、伝送装置側記録部とサーバ側記録部との間で測定データの不連続が発生した場合であっても、当該不連続を容易に修復することができる測定データ管理システム等を提供することができるという効果がある。
【発明を実施するための最良の形態】
【００６０】
以下、各実施例について図面を参照して詳細に説明する。
【実施例１】
【００６１】
図１は、本発明の実施例１における測定データ管理システムの概略を示す。図１において、符号６ａは体重体脂肪計等のデータ測定器、１は体重体脂肪計６ａのユーザＡ（婦人等）、７ａはデータ測定器６ａで測定された体重データおよび体脂肪量データ等の測定データを記録する測定器側記録部、４０ａは後述のネットワークに接続可能な携帯型電話器、１０ａは携帯型電話器４０ａと接続された本発明のデータ伝送装置、８ａはデータ伝送装置１０ａとデータ測定器６ａとを接続する所定のインタフェースに基づく接続ケーブル、６ｂは体重体脂肪計等のデータ測定器、２はデータ測定器６ｂのユーザＢ（病気療養中または老人等の介護を要するような者等）、７ｂはデータ測定器６ｂで測定された体重データおよび体脂肪量データ等の測定データを記録する測定器側記録部、４０ｂは後述のネットワークに接続可能な携帯型電話器、１０ｂは携帯型電話器４０ｂと接続された本発明のデータ伝送装置、８ｂはデータ伝送装置１０ｂとデータ測定器５ｂとを接続する所定のインタフェースに基づく接続ケーブルである。
【００６２】
図１に示されるデータ測定器６ａ等で測定される測定データは、所定の時間単位、例えば日毎に連続して測定された体重データおよび体脂肪量データ等である。測定器記録部７ａ等は、例えば数日から１２０日程度の期間（第１の期間）の測定データを記録することができる。婦人等のユーザＡ（１）により測定される体重データおよび体脂肪量データの期間は、通常１２０日分をまとまった期間として扱うことが多い。以下では１２０日程度の期間を第１の期間の最大の期間例として用いる。しかし、他のユーザＢ（２）によっては第１の期間として１２０日分以外の期間を用いることができることはもちろんである。データ測定器６ａ等とデータ伝送装置１０ａ等とは、例えばＵＳＢ（Universal Serial Bus）等のシリアル・インタフェース仕様の接続ケーブル８ａ等により脱着可能に接続されている。データ伝送装置１０ａ等と携帯型電話器４０ａ等とは、例えば両者を嵌め込む等により脱着可能に接続されている。
【００６３】
続けて図１において、符号３６はパケット通信網、３２はパケット通信網３６に接続された基地局、３４はパケット通信網３６に接続された通信センタである。携帯型電話器４０ａおよび４０ｂは基地局３２等を介して通信センタ３４等とパケット通信可能である。符号６０はインターネット、３８および６２はインターネット６０と接続したルーティング機能を有するルータ、６４は在宅健康管理、在宅介護支援または在宅医療システムを支援するためのメディカル・データセンタ、７０はメディカル・データセンタ６４におけるデータセンタ側サーバである。データセンタ側サーバ７０は、本発明の測定データ管理システムにおけるデータセンタ側サーバの一実施例である。
【００６４】
図１に示されるように、通信センタ３４はルータ３８を介してインターネット６０と接続され、データセンタ側サーバ７０はルータ６２を介してインターネット６０と接続されている。したがって、携帯型電話器４０ａ等はパケット通信網３６およびインターネット６０等のネットワークを介してデータセンタ側サーバ７０と接続されている。このためデータ測定器６ａ等で測定された測定データは、データ伝送装置１０ａ、携帯型電話器４０ａ、パケット通信網３６およびインターネット６０等のネットワークを通してデータセンタ側サーバ７０へ送信し、集積することが可能である。以下、データ伝送装置１０ａおよび１０ｂ、携帯型電話器４０ａおよび４０ｂ、データセンタ側サーバ７０の機能につき、各々説明する。
【００６５】
図２は、本発明のデータ伝送装置１０ａ等の機能をブロック図で示す。図２において、符号３０は測定器側記録部７ａが記録する上記第１の期間以上の第２の期間（例えば１２０日間以上の期間）の測定データと、所定の形式に基づくデータセンタ側サーバ７０の識別子とを記録した伝送装置側記録部である。ここで、所定の形式には例えばユニフォーム・リソース・ロケータ（Uniform Resource Locator：ＵＲＬ）を用いた形式（以下、「ＵＲＬ方式」という）を使用することができる。
【００６６】
続けて、符号１２はデータ測定器６ａ等の測定器側記録部７ａ等に記録された第１の期間の測定データを取出す測定データ取出部（測定データ取出手段）、１４は測定データ取出部１２で取出された第１の期間の測定データと、伝送装置側記録部３０に記録された第２の期間の測定データとに基づいて、新たに測定された測定データを差分データとして抽出する差分データ抽出部（差分データ抽出手段）である。差分データの取出しに関しては図７ないし図９を用いて後述する。
【００６７】
符号１６は差分データ抽出部１４で抽出された差分データの量が、携帯型電話器４０ａ等からネットワーク６０等を介して上記所定の形式により送信可能な所定のデータ量以下であるかどうかを判断するデータ量判断部（データ量判断手段）である。例えばＵＲＬ方式でデータを送信する場合、ＵＲＬパラメータでデータを送信する方法を用いることができるが、この場合のデータ送信可能な最大のデータ量（バイト数：Ｂ）は携帯型電話器４０ａ等の機種により異なる。このためデータ量判断部１６は、送信するデータ量が携帯型電話器４０ａ等の機種により所定の最大のデータ量（例えば１００Ｂ）以下であるかどうかを判断する。このデータ量が１００Ｂ程度である場合、１日の測定データ量が１０Ｂ程度であれば１０日分のデータを送信可能である。しかし、以下に示されるアクセス情報も送信されるデータに含まれるため、このアクセス情報を除いたデータ量が実際に送信可能な測定データの量となる。
【００６８】
符号１８はデータ量判断部１６で差分データの量が所定のデータ量以下であると判断された場合、所定の形式に基づいて、伝送装置側記録部３０に記録されたデータセンタ側サーバ７０の識別子と差分データと所定のパスワードとを含むアクセス情報を作成するアクセス情報作成部（アクセス情報作成手段）である。アクセス情報に関しては図６を用いて後述する。符号２０はアクセス情報作成部１８で作成されたアクセス情報を携帯型電話器４０ａ等へ転送するアクセス情報転送部（アクセス情報転送手段）である。
【００６９】
最初に１２０日間分（第１の期間の最大分または第２の期間分）の測定データをデータセンタ側サーバ７０へ送信する初回登録のような場合、または上述のようにアクセス情報を除いた実際に送信可能な測定データ量が所定のデータ量より大きい場合、上述のＵＲＬパラメータを用いたデータの送信方法では送信するデータ量が大きすぎるため送信することができない。このような場合、ＵＲＬパラメータを用いずに伝送装置側記録部３０に記録された第２の期間のデータ量（大データ量）を送信することとし、まず、その旨を示すフラグを立てたアクセス情報を送信する。次に、例えば日毎の測定データをデータ伝送装置１０ａ等側から携帯型電話器４０ａ等へ転送し、この日毎の測定データを携帯型電話器４０ａ等からデータセンタ側サーバ７０へ送信することを連続して行うことにより、大データ量を送信することができる。
【００７０】
符号２２は所定の形式に基づいて、伝送装置側記録部３０に記録されたデータセンタ側サーバ７０の識別子と第２の期間の測定データの送信を行うことが設定されたデータ量識別子（上記フラグ）と所定のパスワードとを含む大データ量を送信する時（大データ量時）アクセス情報を作成する大データ量時アクセス情報作成部（大データ量時アクセス情報作成手段）である。符号２４は大データ量時アクセス情報作成部２２で作成された大データ量時アクセス情報を携帯型電話器４０ａ等へ転送する大データ量時アクセス情報転送部（大データ量時アクセス情報転送手段）、２６は所定の制御入力に基づき、伝送装置側記録部３０に記録された第２の期間の測定データを所定の時間単位毎に携帯型電話器４０ａ等へ転送する大データ量時測定データ転送部（大データ量時測定データ転送手段）である。所定の制御入力は、例えば後述する制御入力ボタン１８６（図１４参照）を押下することにより入力できる。所定の時間単位とは、上述のように例えば日毎とすることができる。
【００７１】
次に、データセンタ側サーバ７０に初回登録またはその後に登録された測定データと携帯型電話器４０ａ等から送信された差分データとの間に、不連続が生じる場合（データ不連続時）について説明する。携帯型電話器４０ａ等と基地局３２との間の電波状態が不良である場合、またはデータセンタ側サーバ７０のウェブ・サイト（不図示）へのアクセスが混み合っている場合、ウェブ画面が携帯型電話器４０ａ等の表示部１６０（後述の図１４参照）に正常に表示されないことがある。このような場合、データ伝送装置１０ａ等側では携帯型電話器４０ａ等の表示部１６０に正常に表示されたか否かは不明であるため、送信完了とみなしてしまう。次回の測定データの転送の際には同じ測定データを送らないため、データセンタ側サーバ７０のサーバ記録部８８（後述の図４参照）に記録された測定データに抜け箇所が発生し、この結果として両者の測定データ間に不連続が生じることになる。以下、不連続が生じた場合の対処機能について説明する。この機能はデータセンタ側サーバ７０の機能と関連するため、後に図４も用いて説明する。
【００７２】
アクセス情報転送部２０により転送されたアクセス情報は、携帯型電話器４０ａ等により所定の形式に基づきネットワーク６０等を介してデータセンタ側サーバ７０へ送信される。この後、データセンタ側サーバ７０によりアクセス情報に含まれる所定のパスワードに基づいて接続の認証が行われた場合、データセンタ側サーバ７０では、既にサーバ側記録部８８に記録されたデータと新たに送信されたデータとの間に所定の時間単位（例えば日毎）としての連続性が有るか否かを判断する。データセンタ側サーバ７０により、所定の時間単位としての連続性が無いと判断された場合、連続性を維持するために伝送装置側記録部３０に記録された第２の期間の測定データをすべて送信するように携帯型電話器４０ａ等を介してデータ伝送装置１０ａ等に促す。符号２８は、所定の制御入力に基づき、伝送装置側記録部３０に記録された第２の期間の測定データを所定の時間単位毎に携帯型電話器４０ａ等へ転送するデータ不連続時測定データ転送部（データ不連続時測定データ転送手段）である。所定の制御入力とは上述の制御入力ボタン１８６を押下することにより入力することができる。
【００７３】
図３は、本発明の測定データ管理システムにおける携帯型電話器４０ａ等の機能をブロック図で示す。図３において、符号４２はデータ伝送装置１０ａ等のアクセス情報転送部２０により転送されたアクセス情報を、所定の形式、例えばＵＲＬ形式に基づくＵＲＬパラメータを用いたデータの送信方法により、ネットワーク６０等を介してデータセンタ側サーバ７０へ送信するアクセス情報送信部（アクセス情報送信手段）、４４はデータセンタ側サーバ７０から送信された所定の受付完了情報を表示部１６０に表示する受付完了情報表示部（受付完了情報表示手段）である。
【００７４】
次に、上述の大データ量時における携帯型電話器４０ａ等の機能について説明する。符号４６はデータ伝送装置１０ａ等の大データ量時アクセス情報転送部２４により転送された大データ量時アクセス情報をネットワーク６０等を介してデータセンタ側サーバ７０へ送信する大データ量時アクセス情報送信部（大データ量時アクセス情報送信手段）、４８はデータセンタ側サーバ７０から送信された、第２の期間の測定データの入力を促す大データ量時入力画面情報を表示部１６０に表示する大データ量時入力画面情報表示部（大データ量時入力画面情報表示手段）である。大データ量時入力画面情報は、第２の期間の測定データの入力を促す旨のメッセージと共に体重データおよび体脂肪量データ等の測定データを入力する所定のフォームを伴っている。符号５０はデータ伝送装置１０ａ等の大データ量時測定データ転送部により転送された所定の時間単位毎の第２の期間の測定データを、上記大データ量時入力画面情報に従い所定の時間単位毎（例えば日毎）に、ネットワーク６０等を介してデータセンタ側サーバ７０へ送信する大データ量時測定データ送信部（大データ量時測定データ送信手段）である。大データ量時測定データ送信部５０は、データ伝送装置１０ａ等の大データ量時測定データ転送部２６から転送された例えば日毎の測定データを、上記所定のフォームにテンキー部１６２（図１４参照）が押されたようにキーシュミレーションしながら、送信していくことができる。このため、ユーザＡ（１）等が携帯型電話器４０ａ等のテンキー部１６２により入力することなく、大データ量をデータセンタ側サーバ７０へ高速に送信することができる。符号５２はデータセンタ側サーバ７０から送信された所定の大データ量時測定データ受付完了情報を表示部１６０に表示する大データ量時測定データ受付完了情報表示部（大データ量時測定データ受付完了情報表示手段）である。
【００７５】
次に、データセンタ側サーバ７０に初回登録またはその後に登録された測定データと携帯型電話器４０ａ等から送信された差分データとの間に、不連続が生じた場合における携帯型電話器４０ａ等の対処機能について説明する。符号５４はデータセンタ側サーバ７０から送信されたデータ不連続時入力画面情報を表示部１６０に表示するデータ不連続時入力画面情報表示部（データ不連続時入力画面情報表示手段）である。データ不連続時入力画面情報は、送信された測定データが不連続である旨のメッセージと共に不連続となっている測定日の表示を伴うことができる。符号５６はデータ伝送装置１０ａ等のデータ不連続時測定データ転送部２８により転送された所定の時間単位毎の第２の期間の測定データを、上記データ不連続時入力画面情報に従い所定の時間単位毎に、ネットワーク６０等を介してデータセンタ側サーバ７０へ送信するデータ不連続時測定データ送信部（データ不連続時測定データ送信手段）、５８はデータセンタ側サーバ７０から送信された所定のデータ不連続時測定データ受付完了情報を表示部１６０に表示するデータ不連続時測定データ受付完了情報表示部（データ不連続時測定データ受付完了情報表示手段）である。
【００７６】
図４は、本発明の測定データ管理システムにおけるデータセンタ側サーバ７０の機能をブロック図で示す。図４において、符号８８は第２の期間以上の第３の期間の測定データを記録したサーバ側記録部、７２は携帯型電話器４０ａ等のアクセス情報送信部４２により送信されたアクセス情報に含まれる所定のパスワードに基づき認証を行う認証部（認証手段）である。符号７４は認証部７２で認証された場合、サーバ側記録部８８に記録された第３の期間の測定データの最後の所定の時間単位（例えば最後の日）の測定データと、アクセス情報送信部４２により送信されたアクセス情報に含まれる差分データの最初の所定の時間単位（例えば最初の日）の測定データとの間に、所定の時間単位（例えば日毎）としての連続性が有るか否かを判断する測定データ連続性判断部（測定データ連続性判断手段）である。詳しくは図７ないし図９を用いて後述する。符号７６は測定データ連続性判断部７４により所定の時間単位（例えば日毎）としての連続性が有ると判断された場合、所定の受付完了情報をネットワーク６０等を介して携帯型電話器４０ａ等へ送信する受付完了情報送信部（受付完了情報送信手段）である。
【００７７】
次に、上述の大データ量時におけるデータセンタ側サーバ７０の対処機能について説明する。符号７８は携帯型電話器４０ａ等の大データ量時アクセス情報送信部４６により送信された大データ量時アクセス情報に含まれる所定のパスワードに基づき認証を行う大データ量時認証部（大データ量時認証手段）、８０は大データ量時認証部７８により認証された場合、第２の期間の測定データの入力を促す大データ量時入力画面情報を携帯型電話器４０ａ等へ送信する大データ量時入力画面情報送信部（大データ量時入力画面情報送信手段）、８２は携帯型電話器４０ａ等の大データ量時測定データ送信部５０により送信された所定の時間単位毎（例えば日毎）の第２の期間の測定データをすべて受信した後、所定の大データ量時測定データ受付完了情報を携帯型電話器４０ａ等へ送信する大データ量時測定データ受付完了情報送信部（大データ量時測定データ受付完了情報送信手段）である。上述のように、携帯型電話器４０ａ等の大データ量時測定データ送信部５０は、データ伝送装置１０ａ等の大データ量時測定データ転送部２６から転送された例えば日毎の測定データをキーシュミレーションしながら送信する。このため、大データ量時測定データ受付完了情報送信部８６はこれらの日毎に送信された第２の期間の測定データをすべて受信した後、受信完了として所定の大データ量時測定データ受付完了情報を携帯型電話器４０ａ等へ送信する。
【００７８】
次に、データセンタ側サーバ７０に初回登録またはその後に登録された測定データと携帯型電話器４０ａ等から送信された差分データとの間に、不連続が生じた場合におけるデータセンタ側サーバ７０の対処機能について説明する。符号８４は第２の期間の測定データの入力を促すデータ不連続時入力画面情報を携帯型電話器４０ａ等へ送信するデータ不連続時入力画面情報送信部（データ不連続時入力画面情報送信手段）、８６は携帯型電話器４０ａ等から送信された所定の時間単位毎の第２の期間の測定データをすべて受信した後、所定のデータ不連続時測定データ受付完了情報を携帯型電話器４０ａ等へ送信するデータ不連続時測定データ受付完了情報送信部（データ不連続時測定データ受付完了情報送信手段）である。以上のように、データ不連続時における測定データの送信は、基本的には大データ量送信時における送信と同様である。
【００７９】
次に、データ測定器６ａ等の測定器側記録部７ａ等に記録されるデータ１００について説明する。図５は、測定器側記録部７ａ等に記録されるデータ１００を例示する。図５において、符号１０２はデータ測定器６ａ等を使用するユーザＡ（１）等を識別するユーザＩＤ、１０４は体重データおよび体脂肪量データ等の測定データを測定した所定の時間単位の数（例えば測定日数ｎ日）、１０６は所定の時間単位の最初の測定データ（例えば測定日１の測定データ）、１０８は所定の時間単位の最後の測定データ（例えば測定日ｎの測定データ）である。データ伝送装置１０ａ等の測定データ取出部１２には、データ表現１００で示されるようなデータが取出される。
【００８０】
次に、データ伝送装置１０ａ等のアクセス情報作成部１８で作成されるアクセス情報１１０について説明する。図６は、アクセス情報１１０（ＵＲＬ形式の場合）を例示する。図６において、符号１１２はＵＲＬのスキームの指定等（「http://」で７文字）、１１４はＵＲＬのホスト名（「xxx.xx/…/」で８ないし１５文字）、１１６はデータ伝送装置１０ａ等を識別するシリアル番号（１２文字）、１１８はデータセンタ側サーバ７０から提供されるサービスの種類を示すサービスＩＤ（３文字）、１２０は測定データの種類を示すデータ識別番号（３文字）、１２２は所定のパスワード（８文字）、１０２はデータ表現１００におけるユーザＩＤ１０２と同じデータ（８文字）、１２６は送信エラーを検出するためのチェックデジット（１文字）、１２８は大データ量時に設定されるフラグ（データ量識別子。１文字）、１０４ないし１０８はデータ表現１００における所定の時間単位の数１０４、所定の時間単位の最初の測定データ１０６、所定の時間単位の最後の測定データ１０８と各々同じデータである。この例の場合、データセンタ側サーバ７０の識別子はホスト名１１４（アクセス方法はスキームの指定１１２）により示される。データ識別番号１２０は、例えば体重データおよび体脂肪量データ、心電図波形データ、血圧データ、体脂肪量データ、体重データまたは血糖値データ等の測定データにより異なる番号が付けられている。サービスＩＤ１１８は、同じ測定データ、例えば体重データおよび体脂肪量データを送信した場合であっても初回登録、過去の体重および体脂肪量のグラフ表示またはその他の解析結果の表示等、ユーザ側に提供されるサービスが異なるため、サービスを識別するために設けられている。
【００８１】
図７（Ａ）ないし（Ｃ）は初回登録時を含む大データ量時における、測定器側記録部７ａ等、伝送装置側記録部３０およびサーバ側記録部８８間における測定データの流れを示す。図７（Ａ）の測定器側記録部７ａ等内の例えば「１」は測定日１の測定データを示し、「１２０」は測定日１２０の測定データを示す。図７（Ｂ）の伝送装置側記録部３０および図７（Ｃ）のサーバ側記録部８８においても同様であり、図８および図９においても同様である。図７（Ａ）に示されるように、例えば初回登録時、測定器側記録部７ａ等には測定日１の測定データないし測定日１２０の測定データが記録されている。これらの測定データは図７（Ｂ）に示されるように、伝送装置側記録部３０にそのまま取出されて記録される。さらに携帯型電話器４０ａ等を介して図７（Ｃ）に示されるようにサーバ側記録部８８へ送信されて記録される。
【００８２】
図８（Ａ）ないし（Ｃ）は差分データ量が所定のデータ量以下である場合における、測定器側記録部７ａ等、伝送装置側記録部３０およびサーバ側記録部８８間における測定データの流れを示す。図８（Ａ）に示されるように、測定器側記録部７ａ等内には測定日１２１の測定データないし測定日１２３の測定データが記録されている。これらの測定データは図８（Ｂ）に示されるように、伝送装置側記録部３０に差分データとし抽出され記録される。伝送装置側記録部３０の容量を１２０日分とすると、伝送装置側記録部３０は測定日４ないし測定日１２３の１２０日分の測定データが記録されることになる。図８（Ｃ）に示されるように、測定日１２１ないし測定日１２３の差分データは携帯型電話器４０ａ等を介してサーバ側記録部８８へ送信され、サーバ側記録部８８に同様に記録される。サーバ側記録部８８の容量を１２０日分とすると、サーバ側記録部８８は測定日４ないし測定日１２３の１２０日分の測定データが記録されることになる。
【００８３】
図９（Ａ）ないし（Ｃ）は、差分データの内、最後の測定日の測定データが電波状態の不良等の原因によりサーバ側記録部８８へ送信されなかった場合における、測定器側記録部７ａ等、伝送装置側記録部３０およびサーバ側記録部８８間における測定データの流れを示す。例えば図８（Ｂ）の測定日１２３の測定データがサーバ側記録部８８へ送信されなかったと想定すると、図９（Ｃ）に示されるようにサーバ側記録部８８には測定日３ないし測定日１２２の１２０日分の測定データだけが記録されている。この状態で、図９（Ａ）および図９（Ｂ）に示されるように新たな差分データ（測定日１２４ないし測定日１２６）が伝送装置側記録部３０に記録されたものとする。この結果、図９（Ｂ）および図９（Ｃ）に示されるように、携帯型電話器４０ａ等を介してサーバ側記録部８８へ送信される差分データの最初の測定データ（測定日１２４）と、サーバ側記録部８８に記録された最後の測定データ（測定日１２２）との間には、所定の時間単位（日毎）としての連続性が無い（不連続）状態が生じることになる（破線矢印Ｘ参照）。そこで、このような場合は上述のように、伝送装置側記録部３０に記録された１２０日分（測定日７ないし測定日１２６）の測定データをすべてサーバ側記録部８８へ送信させることにより（破線矢印Ｙ参照）、データの連続性がない状態を解消させることができる。以上のようにして、電波状態により携帯型電話器４０ａ等側が送信を完了とみなしてしまい、伝送装置側記録部３０とサーバ側記録部８８との間で測定データの不連続が発生した場合であっても、当該不連続を容易に修復することができる。
【００８４】
次に、本発明の測定データ管理方法およびデータ伝送プログラムの処理の流れを説明する。図１０および図１１は、本発明の測定データ管理方法およびデータ伝送プログラムの処理の流れをフローチャートで示す。図面の都合上、図１０と図１１とに分けてある。
【００８５】
図１０に示されるように、まずデータ伝送装置が、データ測定器１０ａ等の測定器側記録部７ａ等に記録された第１の期間の測定データ１０６ないし１０８を取出す（測定データ取出ステップ。ステップＳ１０）。測定データ取出ステップ（ステップＳ１０）で取出された第１の期間の測定データ１０６ないし１０８と、伝送装置側記録部３０に記録された第２の期間の測定データとに基づいて、新たに測定された測定データを差分データ１０６ないし１０８として抽出する（差分データ抽出ステップ。ステップＳ１２）。差分データ抽出ステップ（ステップＳ１２）で抽出された差分データ１０６ないし１０８の量が、携帯型電話器４０等からネットワーク６０を介して所定の形式により送信可能な所定のデータ量以下であるかどうかを判断する（データ量判断ステップ。ステップＳ１４）。データ量判断ステップ（ステップＳ１４）で差分データ１０６ないし１０８の量が所定のデータ量以下であると判断された場合、所定の形式に基づいて、伝送装置側記録部３０に記録されたデータセンタ側サーバ７０の識別子１１４と差分データ１０６ないし１０８と所定のパスワード１２２とを含むアクセス情報１１０を作成する（アクセス情報作成ステップ。ステップＳ１６）。この場合、アクセス情報１１０には他のシリアル番号１１６等も含まれているが、フラグ１２８には大データ量である旨は設定されていない。アクセス情報作成ステップ（ステップＳ１６）で作成されたアクセス情報１１０を携帯型電話器４０ａ等へ転送する（アクセス情報転送ステップ。ステップＳ１８）。
【００８６】
続いて携帯型電話器４０ａ等が、アクセス情報転送ステップ（ステップＳ１８）で転送されたアクセス情報１１０を、所定の形式に基づいてネットワーク６０を介してデータセンタ側サーバ７０へ送信する（アクセス情報送信ステップ。ステップＳ２０）。
【００８７】
データセンタ側サーバ７０が、アクセス情報送信ステップ（ステップＳ２０）で送信されたアクセス情報１１０に含まれる所定のパスワード１２２に基づき認証を行う（認証ステップ。ステップＳ２２、Ｓ２４）。認証ステップ（ステップＳ２２、Ｓ２４）で認証された場合、サーバ側記録部８８に記録された第３の期間の測定データの最後の所定の時間単位の測定データと、アクセス情報送信ステップ（ステップＳ２０）で送信されたアクセス情報１１０に含まれる差分データ１０６ないし１０８の最初の所定の時間単位の測定データ１０６との間に、所定の時間単位としての連続性が有るか否かを判断する（測定データ連続性判断ステップ。ステップＳ２６）。測定データ連続性判断ステップ（ステップＳ２６）で所定の時間単位としての連続性が有ると判断された場合、所定の受付完了情報をネットワーク６０等を介して携帯型電話器４０ａ等へ送信する（受付完了情報送信ステップ。ステップＳ２８）。
【００８８】
携帯型電話器４０ａ等が、受付完了情報送信ステップ（ステップＳ２８）で送信された所定の受付完了情報を表示部１６０に表示して（受付完了情報表示ステップ。ステップＳ３０）、処理を終了する。認証ステップ（ステップＳ２２、Ｓ２４）で認証されなかった場合は、処理は終了する。
【００８９】
次に、上述の大データ量時における処理の流れを説明する。データ量判断ステップ（ステップＳ１４）で差分データ１０６ないし１０８の量が所定のデータ量を超えると判断された場合、データ伝送装置１０ａ等が、所定の形式に基づいて、伝送装置側記録部３０に記録されたデータセンタ側サーバ７０の識別子１１４と第２の期間の測定データの送信を行うことが設定されたデータ量識別子１２８と所定のパスワード１２２とを含む大データ量時アクセス情報１１０ａ（不図示）を作成する（大データ量時アクセス情報作成ステップ。ステップＳ４０）。この場合、大データ量時アクセス情報１１０ａにはアクセス情報１１０の内の測定日の数１０４および測定データ１０６ないし１０８は含まれていないが、他のシリアル番号１１６等は含まれている。大データ量時アクセス情報作成ステップ（ステップＳ４０）で作成された大データ量時アクセス情報１１０ａを携帯型電話器４０ａ等へ転送する（大データ量時アクセス情報転送ステップ。ステップＳ４２）。
【００９０】
携帯型電話器４０ａ等が、大データ量時アクセス情報転送ステップ（ステップＳ４２）で転送された大データ量時アクセス情報１００ａをネットワーク６０を介してデータセンタ側サーバ７０へ送信する（大データ量時アクセス情報送信ステップ。ステップＳ４４）。
【００９１】
データセンタ側サーバ７０が、大データ量時アクセス情報送信ステップ（ステップＳ４４）で送信された大データ量時アクセス情報１００ａに含まれる所定のパスワード１２２に基づき認証を行う（大データ量時認証ステップ。ステップＳ４６、Ｓ４８）。大データ量時認証ステップ（ステップＳ４６、Ｓ４８）で認証された場合、第２の期間の測定データの入力を促す大データ量時入力画面情報を携帯型電話器４０ａへ送信する（大データ量時入力画面情報送信ステップ。ステップＳ５０）。
【００９２】
携帯型電話器４０ａ等が、大データ量時入力画面情報送信ステップ（ステップＳ５０）で送信された大データ量時入力画面情報を表示部１６０に表示する（大データ量時入力画面情報表示ステップ。ステップＳ５２）。
【００９３】
データ伝送装置１０ａ等が、所定の制御入力に基づき、伝送装置側記録部３０に記録された第２の期間の測定データを所定の時間単位毎に携帯型電話器４０ａ等へ転送する（大データ量時測定データ転送ステップ。ステップＳ５４）。
【００９４】
携帯型電話器４０ａ等が、大データ量時測定データ転送ステップ（ステップＳ５４）で転送された所定の時間単位毎の第２の期間の測定データを、大データ量時入力画面情報に従い所定の時間単位毎に、ネットワーク６０を介してデータセンタ側サーバ７０へ送信する（大データ量時測定データ送信ステップ。ステップＳ５６）。
【００９５】
データセンタ側サーバ７０が、大データ量時測定データ送信ステップ（ステップＳ５６）で送信された所定の時間単位毎の第２の期間の測定データをすべて受信した後、所定の大データ量時測定データ受付完了情報を携帯型電話器４０ａ等へ送信する（大データ量時測定データ受付完了情報送信ステップ。ステップＳ５８）。
【００９６】
携帯型電話器４０ａ等が、大データ量時測定データ受付完了情報送信ステップ（ステップＳ５８）で送信された所定の大データ量時測定データ受付完了情報を表示部１６０に表示して（大データ量時測定データ受付完了情報表示ステップ。ステップＳ６０）、処理を終了する。大データ量時認証ステップ（ステップＳ４６、Ｓ４８）で認証されなかった場合は、処理は終了する。
【００９７】
次に、上述のデータ不連続時における処理の流れを図１１を用いて説明する。測定データ連続性判断ステップ（ステップＳ２６）で所定の時間単位としての連続性が無いと判断された場合、図１１に示されるように、データセンタ側サーバ７０が、第２の期間の測定データの入力を促すデータ不連続時入力画面情報を携帯型電話器４０ａ等へ送信する（データ不連続時入力画面情報送信ステップ。ステップＳ７２）。
【００９８】
携帯型電話器４０ａ等が、データ不連続時入力画面情報送信ステップ（ステップＳ７２）で送信されたデータ不連続時入力画面情報を表示部１６０に表示する（データ不連続時入力画面情報表示ステップ。ステップＳ７４）。
【００９９】
データ伝送装置１０ａ等が、所定の制御入力に基づき、伝送装置側記録部３０に記録された第２の期間の測定データを所定の時間単位毎に携帯型電話器４０ａ等へ転送する（データ不連続時測定データ転送ステップ。ステップＳ７６）。
【０１００】
携帯型電話器４０ａ等が、データ不連続時測定データ転送ステップ（ステップＳ７６）で転送された所定の時間単位毎の第２の期間の測定データを、データ不連続時入力画面情報に従い所定の時間単位毎に、ネットワーク６０を介してデータセンタ側サーバ７０へ送信する（データ不連続時測定データ送信ステップ。７８）。
【０１０１】
データセンタ側サーバ７０が、データ不連続時測定データ送信ステップ（ステップＳ７８）で送信された所定の時間単位毎の第２の期間の測定データをすべて受信した後、所定のデータ不連続時測定データ受付完了情報を携帯型電話器４０ａ等へ送信する（データ不連続時測定データ受付完了情報送信ステップ。ステップＳ８０）。
【０１０２】
携帯型電話器４０ａ等が、データ不連続時測定データ受付完了情報送信ステップ（ステップＳ８０）で送信された所定のデータ不連続時測定データ受付完了情報を表示部１６０に表示して（データ不連続時測定データ受付完了情報表示ステップ。ステップＳ８２）、処理を終了する。
【０１０３】
以上より、本発明の実施例１によれば、差分データの量が所定のデータ量以下の場合は、ＵＲＬパラメータを用いたアクセス情報として送信することにより測定データを高速に送信することができる。差分データの量が所定のデータ量より大きい場合は、まず、その旨を示すフラグを立てた大データ量時アクセス情報を送信し、続いて例えば日毎の測定データをキーシュミレーションしながら表示部１６０に表示しつつ送信していくことができる。このため、ユーザは携帯型電話器４０ａ等のテンキー部１６２により入力することなく、大データ量をデータセンタ側サーバ７０へ高速に送信することができる。したがって、測定データを当該測定データの量に応じ、携帯型電話器４０ａ等のテンキー部１６２により入力することなく、データセンタ側サーバ７０へ高速に送信することができる。
【０１０４】
さらに、サーバ側記録部８８に記録された最後の所定の時間単位の測定データと、送信された差分データの最初の所定の時間単位の測定データとの間に、所定の時間単位としての連続性が有るか否かを判断する測定データ連続性判断部を設けることができる。測定データに連続性が無いと判断された場合、伝送装置側記録部３０に記録された測定データをすべてサーバ側記録部８８へ送信させることにより、データの不連続性を解消させることができる。この結果、電波状態により携帯型電話器４０ａ等側が送信を完了とみなしてしまい、伝送装置側記録部３０とサーバ側記録部８８との間で測定データの不連続が発生した場合であっても、当該不連続を容易に修復することができる。
【実施例２】
【０１０５】
実施例１で説明したアクセス情報１００または大データ量時アクセス情報１００ａの所定のパスワード１２２は、ネットワーク６０等を介しデータセンタ側サーバ７０と携帯型電話器４０ａ等との間で所定の回数のみ使用可能なパスワード、例えばワンタイムパスワードとすることができる。この場合、データセンタ側サーバ７０から予め乱数等のチャレンジ値を受信しておき、このチャレンジ値によって所定のパスワード１２２を暗号化しておけばよい。
【実施例３】
【０１０６】
実施例１では、データ伝送装置１０ａ等が携帯型電話器４０ａ等を介してデータセンタ側サーバ７０へ直接的にアクセスした後に認証を行っていた。しかし、データセンタ側サーバ７０へのアクセスを間接的なものとすることにより、サーバ側記録部８８に記録されたユーザの測定データをより安全に保護することができる。
【０１０７】
図１２は、本発明の実施例３におけるデータセンタ側サーバ７０へのアクセス方式の概略を示す。図１２で図１と同じ符号を付した箇所は同じ要素を示すため、説明は省略する。図１２において、符号４１および４３は携帯型電話器４０ａ等に追加された機能を示す。他の携帯型電話器４０ａ等の機能は実施例１と同様である。符号１１および１３はデータ伝送装置１０ａ等に追加された機能を示す。他のデータ伝送装置１０ａ等の機能は実施例１と同様である。携帯型電話器４０ａ等とインターネット６０との間の接続は図１と同様であるため、図面の都合上省略する。
【０１０８】
図１２において、符号１５０はルータ１５２を介してインターネット６０に接続されたアクセス・サーバであり、データ伝送装置１０ａ等を識別する伝送装置識別子(例えばシリアル番号１１６)と所定の形式に基づくデータセンタ側サーバ７０の識別子(例えばＵＲＬのホスト名１１４)とを対応させた対応表部１５４を有している。
【０１０９】
まず、データ伝送装置１０ａ等の伝送装置識別子転送部（伝送装置識別子転送手段）１１が、携帯型電話器４０ａ等へ伝送装置識別子としてシリアル番号１１６を転送する。携帯型電話器４０ａ等の伝送装置識別子送信部（伝送装置識別子送信手段）４１は、伝送装置識別子転送部１１により転送されたシリアル番号１１６をインターネット６０を介してアクセス・サーバ１５０へ送信する。アクセス・サーバ１５０の検索部（検索手段）１５６は、伝送装置識別子送信部４１により送信されたシリアル番号１１６に対応した所定の形式におけるデータセンタ側サーバ７０のＵＲＬのホスト名１１４を対応表部１５４から検索する。データセンタ側サーバ識別子送信部（データセンタ側サーバ識別子送信手段）１５８は検索部１５６で検索されたデータセンタ側サーバ７０のＵＲＬのホスト名１１４をインターネット６０を介して携帯型電話器４０ａ等へ送信する。携帯型電話器４０ａ等の転送部（転送手段）４３は、アクセス・サーバ１５０から送信されたデータセンタ側サーバ７０のＵＲＬのホスト名１１４をデータ伝送装置１０ａ等へ転送する。データセンタ側サーバ識別子記録部１３は、転送されたＵＲＬのホスト名１１４を伝送装置側記録部３０に記録する。この結果、データ伝送装置１０ａ等は間接的にデータセンタ側サーバ７０のＵＲＬのホスト名を得ることができる。
【０１１０】
以上より、本発明の実施例３によれば、インターネット６０に接続されたアクセス・サーバ１５０をさらに設け、アクセス・サーバ１５０にデータ伝送装置１０ａ等を識別する伝送装置識別子(例えばシリアル番号１１６)と所定の形式に基づくデータセンタ側サーバ７０の識別子(例えばＵＲＬのホスト名１１４)とを対応させた対応表部１５４を設けることができる。データ伝送装置１０ａ等はシリアル番号１１６をアクセス・サーバ１５０へ送信した後、データセンタ側サーバ７０のＵＲＬのホスト名１１４を得ることができる。このため、データ伝送装置１０ａ等からデータセンタ側サーバ７０へのアクセスを間接的なものとすることができる。このため、サーバ側記録部８８に記録されたユーザの測定データをより安全に保護することができる。
【実施例４】
【０１１１】
データセンタ側サーバ７０は、サーバ側記録部８８に記録された第３の期間の測定データを、データ伝送装置１０ａ等に接続された携帯型電話器４０ａ等からネットワーク６０等を介して閲覧可能に記録したウェブ・サイト（不図示）をさらに設けることもできる。
【０１１２】
図１３は、データセンタ側サーバ７０に設けられたウェブ・サイトへのアクセス方法をフローチャートで示す。図１３に示されるように、まずデータ伝送装置１０ａ等が測定データ１０６等を除くアクセス情報１１０を作成する（ステップＳ９０）。次に、このアクセス情報１１０を携帯型電話器４０ａ等へ転送し（ステップＳ９２）、携帯型電話器４０ａ等がこのアクセス情報１１０をデータセンタ側サーバ７０へ送信する（ステップＳ９４）。データセンタ側サーバ７０が認証を行った後（ステップＳ９６、Ｓ９８）、所望のサイト表示（体重データおよび体脂肪量データを測定データとする場合は体重体脂肪グラフ表示等）が提供されて（ステップＳ１００）、処理は終了する。ステップＳ９６、Ｓ９８で認証されなかった場合はそのまま終了する。
【０１１３】
以上より、本発明の実施例４によれば、データセンタ側サーバ７０にウェブ・サイトを設けることにより、データ伝送装置１０ａ等に接続された携帯型電話器４０ａ等から所望のサイト表示を閲覧することができる。
【実施例５】
【０１１４】
図１４および図１５は、本発明のデータ伝送装置１０ａ等と、携帯型電話器４０ａ等およびデータ測定器６ａ等との間の接続関係を示す。図１４および図１５ではデータ伝送装置１０ａ等の符号を「１０」、携帯型電話器４０ａ等の符号を「４０」、データ測定器６ａ等の符号を「６」、接続ケーブル８等に符号を「８」と示す。
【０１１５】
図１４に示されるように、携帯型電話器４０は表示部１６０と、テンキー部１６２と、データ伝送装置１０との間の接続部１６４（内部にあるため点線で示す）とを有している。データ伝送装置１０は携帯型電話器４０との間の接続部１８０と、接続ケーブル８の接続部２００との間の接続部１８８（内部にあるため点線で示す）と、窪み１８４内に設置された制御入力ボタン１８６とを有している。制御入力ボタン１８６は窪み１８４内にあるため、通常の操作ではユーザが押しにくいように設置されている。この制御入力ボタン１８６を押下することにより、上述の大データ量時測定データ転送部２６またはデータ不連続時測定データ転送部２８における所定の制御入力を得ることができる。接続ケーブル８は接続部２０２を介してデータ測定器６と接続されている。データ測定器６は測定データ等の簡易表示部２０６と種々の機能ボタン２０４とを有している。接続ケーブル８は好適にはＵＳＢケーブルとすることができる。図１４は、携帯型電話器４０、データ伝送装置１０および接続ケーブル８が接続されていない状態を示している。ここで、図１４に示されるＡ方向に携帯型電話器４０またはデータ伝送装置１０を移動させることにより、携帯型電話器４０とデータ伝送装置１０とを接続する（嵌め込む）ことができる。同様にＢ方向に接続ケーブル８またはデータ伝送装置１０を移動させることにより、接続ケーブル８とデータ伝送装置１０とを接続することができる。接続を外す場合は各々逆方向へ移動させればよい。
【０１１６】
図１５は携帯型電話器４０、データ伝送装置１０および接続ケーブル８が接続された状態を示している。図１５において図１４と同じ符号を付した箇所は同じ要素を示すため説明は省略する。図１５に示されるように、携帯型電話器４０の接続部１６４内にデータ伝送装置１０の接続部１８０が嵌め込まれており、データ伝送装置１０の接続部１８８内に接続ケーブルの接続部２００が嵌め込まれている。
【０１１７】
データ伝送装置１０の接続部１８０は例えば凹型１６芯コネクタとすることができる。１６芯コネクタのデータ端子は、例えば音声等のデータ送信端子および受信端子、パケット信号送信端子および受信端子、音声入力端子および出力端子、シリアル信号送信端子および受信端子、携帯型電話器４０の制御用信号端子、その他のデータ送信端子および受信端子、その他の制御用端子として用いることができる。データ伝送装置１０の接続部１８８は例えば４芯のＵＳＢコネクタとすることができる。この場合、４芯コネクタのデータ端子は、電源ライン、データライン２本、ＧＮＤラインとすることができる。
【０１１８】
以上より、本発明の実施例５によれば、データ伝送装置１０に２つの接続部１８０と１８８とを設けることにより、データ伝送装置１０と携帯型電話器４０とを脱着可能に接続でき、データ伝送装置１０と接続ケーブル８（したがってデータ測定器６）とを脱着可能に接続することができる。
【０１１９】
上述の例と異なり、データ伝送装置１０の接続部１８０と携帯型電話器４０の接続部１６４との間を接続ケーブルにより接続することもできる。同様に、データ伝送装置１０の接続部１８８とデータ測定器６の接続部２０２とを嵌め込むことにより接続することもできる。データ伝送装置１０、携帯型電話器４０およびデータ測定器６との間の各接続は、ケーブルまたは嵌め込みのいずれの組合せで行ってもよい。
【実施例６】
【０１２０】
図１６は、本発明の各実施例を実現するための本発明のコンピュータ・プログラムを実行するデータ伝送装置１０のコンピュータの内部回路を示すブロック図である。図１６において、上述の本発明のコンピュータ・プログラムは、ＲＯＭ２１２（記録媒体）に記録されている。このコンピュータ・プログラムは、ＲＯＭ２１２からバス２１５を通ってＲＡＭ２１４へ適宜ロードされて、ＣＰＵ２１１が本発明のコンピュータ・プログラムを実行する。ＲＯＭ２１２は脱着可能とすることができる。ＲＯＭ２１２の容量は、上述の本発明のコンピュータ・プログラムの機能から考慮して好適には約３２ｋＢ程度必要である。ＲＡＭ２１４の容量は好適には２ｋＢ以上必要である。上述の伝送装置側記録部３０はＥＥＰＲＯＭ２１３として実現されており、ＥＥＰＲＯＭ２１３には１２０日分の体重データおよび体脂肪量データを保存することができる。１日分の体重データおよび体脂肪量データの量を例えば９バイト（Ｂ）とするとＥＥＰＲＯＭ２１３には９（Ｂ／日）×１２０（日）＝１０８０Ｂ程度の容量が必要であり、１０バイト（Ｂ）とするとＥＥＰＲＯＭ２１３には１０（Ｂ／日）×１２０（日）＝１２００Ｂ程度の容量が必要である。したがってＥＥＰＲＯＭ２１３の容量は好適には約１．５ｋＢ以上必要である。
【０１２１】
制御入力インタフェース（Ｉ／Ｆ）部２１７は、上述の制御入力ボタン１８６との間のインタフェース機能を有する。外部Ｉ／Ｆ部２１８は接続部１８０を介して携帯型電話器４０との間のインタフェース機能を有し、外部Ｉ／Ｆ部２１９は接続部１８８を介して接続ケーブル８（したがってデータ測定器６）との間のインタフェース機能を有する。
【０１２２】
上述のようにＣＰＵ２１１が上述の本発明のコンピュータ・プログラムを実行することにより、本発明の目的を達成することができる。当該コンピュータ・プログラムは上述のようにＲＯＭ２１２等の脱着可能な記録媒体の形態でコンピュータＣＰＵ２１１に供給することができ、当該コンピュータ・プログラムを記録したＲＯＭ２１２等の記録媒体も同様に本発明を構成することになる。当該コンピュータ・プログラムを記録した記録媒体としては上述された記録媒体の他に、例えばメモリ・カード、メモリ・スティック等を用いることができる。
【実施例７】
【０１２３】
図１８は、本発明の実施例７における測定データ管理システムの概略を示す。図１８で図１と同じ符号を付した箇所は同じ要素を示すため説明は省略する。図１８において、符号６ｃは体重体脂肪計等のデータ測定器、７ｃはデータ測定器６ｃで測定された体重データおよび体脂肪量データ等の測定データを記録する測定器側記録部、４０ｃはネットワーク６０に接続可能な携帯型電話器、１０ｃは携帯型電話器４０ｃと接続された本発明の実施例７におけるデータ伝送装置、８ｃはデータ伝送装置１０ｃとデータ測定器６ｃとを接続する所定のインタフェース（例えばシリアルインタフェース）に基づく接続ケーブル、９ｃは接続ケーブル８ｃとデータ測定器６ｃとを繋げるステレオジャック、６ｄは血糖値等のデータ測定器、７ｄはデータ測定器６ｄで測定された血糖値データ等の測定データを記録する測定器側記録部、４０ｄはネットワーク６０に接続可能な携帯型電話器、１０ｄは携帯型電話器４０ｄと接続された本発明の実施例７におけるデータ伝送装置、８ｄはデータ伝送装置１０ｄとデータ測定器６ｄとを接続する所定のインタフェース（例えばシリアルインタフェース）に基づく接続ケーブル、９ｄは接続ケーブル８ｄとデータ測定器６ｄとを繋げるステレオジャックである。図１８ではデータ測定器６ｃ、６ｄとして各々体重体脂肪計等または血糖値計を示したが、これはあくまでも例示であって、血圧計、歩数計等であってもよいことはもちろんである。
【０１２４】
実施例７においても実施例１と同様に、通信センタ３４はルータ３８を介してインターネット６０と接続され、本実施例７におけるデータセンタ側サーバ７０ａはルータ６２を介してインターネット６０と接続されている。したがって、携帯型電話器４０ｃ等はパケット通信網３６およびインターネット６０等のネットワークを介してデータセンタ側サーバ７０ａと接続されている。このためデータ測定器６ｃ等で測定された測定データは、データ伝送装置１０ｃ、携帯型電話器４０ｃ、パケット通信網３６およびインターネット６０等のネットワークを通してデータセンタ側サーバ７０ａへ送信し、集積することが可能である。実施例７においても実施例１と同様に、測定データは所定の時間単位で連続して測定されたものである。以下、本実施例７におけるデータ伝送装置１０ｃおよび１０ｄ、携帯型電話器４０ｃおよび４０ｄ、データセンタ側サーバ７０ａの機能につき、各々説明する。
【０１２５】
以下、データ測定器６ｃおよび６ｄを「データ測定器６ｃ等」と呼ぶ。対応する他の要素、測定器側記録部７ｃ、接続ケーブル８ｃ、ステレオジャック９ｃ、データ伝送装置１０ｃ、携帯型電話器４０ｃについても同様である。図１９は、本発明の実施例７におけるデータ伝送装置１０ｃ等の機能をブロック図で示す。図１９において、符号１５はデータ伝送装置１０ｃ等に接続されたデータ測定器６ｃ等を所定の手順に基づき識別するデータ測定器識別部（データ測定器識別手段）である。例えばデータ測定器６ｃ等において、通信速度は同じであり、ステレオジャック９ｃ等は接地、送信および受信のみであるものと想定した場合、所定の手順としては以下のような手順が考えられる。
【０１２６】
手順１．予めデータ伝送装置１０ｃ等側に所定のコードとデータ測定器６ｃ等のメーカ種別（従って通信手順）とを対応させたコード表を用意しておく。データ伝送装置１０ｃ等はデータ測定器６ｃ等側から出力される所定のコードを待ち、設定時間内に当該所定のコードが入力された場合、当該所定のコードと上記コード表とからデータ測定器６ｃ等のメーカ種別（従って通信手順）を得ることができる。以上により、データ測定器６ｃ等を識別することができる。
【０１２７】
手順２．予めデータ伝送装置１０ｃ等側に所定のコマンドとデータ測定器６ｃ等のメーカ種別（従って通信手順）とを対応させたコマンド表を用意しておく。データ伝送装置１０ｃ等はデータ測定器６ｃ等側へ所定のコマンドを送信する。当該コマンドに対してデータ測定器６ｃ等から応答があった場合、当該所定のコマンドと上記コマンド表とからデータ測定器６ｃ等のメーカ種別（従って通信手順）を得ることができる。以上により、データ測定器６ｃ等を識別することができる。
【０１２８】
手順３．予めデータ伝送装置１０ｃ等側に所定のデータフォーマットとデータ測定器６ｃ等のメーカ種別（従って通信手順）とを対応させたデータフォーマット表を用意しておく。データ伝送装置１０ｃ等はデータ測定器６ｃ等から所定の時間単位で送信されるデータを受信する。当該データと上記データフォーマット表とからデータ測定器６ｃ等のメーカ種別（従って通信手順）を得ることができる。以上により、データ測定器６ｃ等を識別することができる。
【０１２９】
以上の手順１ないし３を用いて識別できなかった場合、改めて手順１から繰り返させればよい。上述のコード表、コマンド表およびデータフォーマット表等は、実施例６で説明したメモリ・カード、メモリ・スティック等の記録媒体に記録させておき、データ伝送装置１０ｃ等に入力させることもできる。上述の手順１ないし３では、通信速度は同じであり、ステレオジャック９ｃ等は接地、送信および受信のみであるものと想定した。しかし、これはあくまでも例示であり、通信速度は予め各メーカのデータ測定器６ｃ等毎に回線等を切替えるようにしておく等の既存技術により対処することができ、ステレオジャック９ｃ等のピン数も予め各メーカのデータ測定器６ｃ等に共通するようなサイズにしておく等の既存技術により対処することができる。
【０１３０】
図１９において、符号１７はデータ測定器識別部１５により識別されたデータ測定器６ｃ等に応じた所定の通信手順に基づき、データ測定器６ｃ等の識別子とデータ測定器６ｃ等の測定器側記録部７ｃ等に記録された測定データとを少なくとも含む測定データ情報を取出す測定データ情報取出部（測定データ情報取出手段）、１９は接続された携帯型電話器４０ｃ等から携帯型電話器４０ｃ等の電話番号を受信する電話番号受信部（電話番号受信手段）である。符号２１は電話番号受信部１９により受信した電話番号に基づき作成されたデータセンタ側サーバ７０ａのアクセスポイントの電話番号と、測定データ情報取出部１７により取り出された測定データ情報と、データ伝送装置１０ｃ等の識別子及び所定のパスワードとを含む送信データ情報を作成する送信データ情報作成部（送信データ情報作成手段）である。送信データ情報作成部２１により携帯型電話器４０ｃ等の電話番号に応じてアクセスポイントの電話番号を作成することができるため、キャリヤに応じたアクセスポイントの電話番号を作成することができる。符号２３は送信データ情報作成部２１により作成された送信データ情報に所定の変換を施して携帯型電話器４０ｃ等へ転送する送信データ情報転送部（送信データ情報転送手段）である。所定の変換としては、ＨＴＴＰ（HyperText Transfer Protocol）変換を用いることができる。
【０１３１】
図２０は、本発明の実施例７における携帯型電話器４０ｃ等の機能をブロック図で示す。図２０において、符号４４は実施例１と同様にデータセンタ側サーバ７０から送信された所定の受付完了情報を表示部１６０（図１４、１５参照）に表示する受付完了情報表示部（受付完了情報表示手段）、５１は送信データ情報転送部２３により転送された送信データ情報を、その送信データ情報に含まれるデータセンタ側サーバ７０ａのアクセスポイントの電話番号を用いることによりネットワーク６０を介してデータセンタ側サーバへ７０ａ送信する送信データ情報送信部（送信データ情報送信手段）である。
【０１３２】
図２１は、本発明の実施例７におけるデータセンタ側サーバ７０ａの機能をブロック図で示す。図２１で図４と同じ符号を付した箇所は同じ機能を有するため説明は省略する。図２１において、符号７７は認証部７２により送信データ情報に含まれる所定のパスワードに基づき認証された場合、携帯型電話器４０ｃ等の送信データ情報送信部５１により送信された送信データ情報に含まれる測定データ情報が、所定のヘッダを有しているか否かを判断するデータ測定器ヘッダ判断部（データ測定器ヘッダ判断手段）である。所定のヘッダとしては、データ測定器６ｃ等を製造したメーカの識別子及びデータ測定器６ｃ等の種別を示す機種識別子とすることができる。符号８１はデータ測定器ヘッダ判断部７７により測定データ情報が所定のヘッダを有していると判断された場合、送信データ情報送信部５１により送信された送信データ情報に含まれる携帯型電話器４０ｃ等の電話番号と所定のヘッダとに基づき、サーバ側記録部８８に記録された対応する従前の（過去の）測定データを特定する測定データ特定部（測定データ特定手段）である。サーバ側記録部８８には各個人毎に測定データを記録しているため、当該個人の識別を携帯型電話器４０ｃ等の電話番号により行ない、当該個人の過去の測定データの特定を行なっている。測定データ特定部８１は、測定データ情報が所定のヘッダを有していると判断されなかった場合、送信データ情報送信部５１により送信された送信データ情報に含まれるデータ測定器６ｃ等の識別子に基づき所定のヘッダを作成し、当該所定のヘッダと当該送信データ情報に含まれる携帯型電話器４０ｃ等の電話番号とに基づき、サーバ側記録部８８に記録された対応する従前の測定データを特定することができる。
【０１３３】
図２１において、符号８３は送信データ情報送信部５１により送信された送信データ情報に含まれる測定データと測定データ特定部８１により特定された従前の測定データとに基づき、新たに測定された測定データを差分データとして抽出する差分データ抽出部（差分データ抽出手段）である。差分データ抽出部８３の機能は、基本的には実施例１のデータ伝送装置１０ａ等における差分データ抽出部１４と同様である。符号７４ａは測定データ特定部８１により特定された従前の測定データの最後の所定の時間単位の測定データと、差分データ抽出部８３により抽出された差分データの最初の所定の時間単位の測定データとの間に、当該所定の時間単位としての連続性が有るか否かを判断する測定データ連続性判断部（測定データ連続性判断手段）である。測定データ連続性判断部７４ａの機能は基本的には実施例１の測定データ連続性判断部７４と同様である。符号７６ａは測定データ連続性判断部７４ａで所定の時間単位としての連続性が有ると判断された場合、所定の受付完了情報をネットワーク６０を介して携帯型電話器４０ｃ等へ送信する受付完了情報送信部（受付完了情報送信手段）である。受付完了情報送信部７６ａの機能は基本的には実施例１の受付完了情報送信部７６と同様である。符号８５は測定データ連続性判断部７４ａで所定の時間単位としての連続性が有ると判断された場合、差分データ抽出部８３により抽出された差分データを測定データ特定部８１により特定された従前の測定データに続けてサーバ側記録部８８に記録する測定データ更新部（測定データ更新手段）である。
【０１３４】
図２２は、本発明の実施例７における測定データ管理方法およびデータ伝送プログラムの処理の流れをフローチャートで示す。図２２に示されるように、データ伝送装置１０ｃ等が、接続されたデータ測定器６ｃ等を所定の手順に基づき識別する（データ測定器識別ステップ。ステップＳ１００）。次に、データ測定器識別ステップ（ステップＳ１００）により識別されたデータ測定器６ｃ等に応じた所定の通信手順に基づき、データ測定器６ｃ等の識別子とデータ測定器６ｃ等の測定器側記録部７ｃ等に記録された測定データとを少なくとも含む測定データ情報を取出す（測定データ情報取出ステップ。ステップＳ１０２）。  接続された携帯型電話器４０ｃ等から携帯型電話器４０ｃ等の電話番号を受信する（電話番号受信ステップ。ステップＳ１０４）。電話番号受信ステップ（ステップＳ１０４）により受信した電話番号に基づき作成されたデータセンタ側サーバ７０ａのアクセスポイントの電話番号と、測定データ情報取出ステップ（ステップＳ１０２）により取り出された測定データ情報と、データ伝送装置１０ｃ等の識別子及び所定のパスワードとを含む送信データ情報を作成する（送信データ情報作成ステップ。ステップＳ１０６）。送信データ情報作成ステップ（ステップＳ１０６）により作成された送信データ情報に所定の変換を施して携帯型電話器４０ｃ等へ転送する（送信データ情報転送ステップ。ステップＳ１０８）。
【０１３５】
次に、携帯型電話器４０ｃ等が、送信データ情報転送ステップ（ステップＳ１０８）により転送された送信データ情報を、当該送信データ情報に含まれるデータセンタ側サーバ７０ａのアクセスポイントの電話番号を用いることによりネットワーク６０を介してデータセンタ側サーバ７０ａへ送信する（送信データ情報送信ステップ。ステップＳ１１０）。
【０１３６】
データセンタ側サーバは、送信データ情報送信ステップ（ステップＳ１１０）により送信された送信データ情報に含まれる所定のパスワードに基づき認証を行う（認証ステップ。ステップＳ１１２）。認証ステップ（ステップＳ１１２）で認証されなかった場合（ステップＳ１１４）、処理は終了する。認証ステップ（ステップＳ１１２）で認証された場合（ステップＳ１１４）、送信データ情報送信ステップ（ステップＳ１１０）により送信された送信データ情報に含まれる測定データ情報が所定のヘッダを有しているか否かを判断する（データ測定器ヘッダ判断ステップ。ステップＳ１１６）。データ測定器ヘッダ判断ステップ（ステップＳ１１６）により測定データ情報が所定のヘッダを有していると判断された場合、送信データ情報送信ステップ（ステップＳ１１０）により送信された送信データ情報に含まれる携帯型電話器４０ｃ等の電話番号と所定のヘッダとに基づき、サーバ側記録部８８に記録された対応する従前の測定データを特定する（測定データ特定ステップ。ステップＳ１１８）。送信データ情報送信ステップ（ステップＳ１１０）により送信された送信データ情報に含まれる測定データと測定データ特定ステップ（ステップＳ１１８）により特定された従前の測定データとに基づき、新たに測定された測定データを差分データとして抽出する（差分データ抽出ステップ。ステップＳ１２０）。測定データ特定ステップ（ステップＳ１１８）により特定された従前の測定データの最後の所定の時間単位の測定データと、差分データ抽出ステップ（ステップＳ１２０）により抽出された差分データの最初の所定の時間単位の測定データとの間に、所定の時間単位としての連続性が有るか否かを判断する（測定データ連続性判断ステップ。ステップＳ１２２）。測定データ連続性判断ステップ（ステップＳ１２２）で所定の時間単位としての連続性が有ると判断された場合、所定の受付完了情報をネットワーク６０を介して携帯型電話器４０ｃ等へ送信する（受付完了情報送信ステップ。ステップＳ１２４）と共に、差分データ抽出ステップ（ステップＳ１２０）により抽出された差分データを測定データ特定ステップ（ステップＳ１１８）により特定された従前の測定データに続けてサーバ側記録部８８に記録する（測定データ更新ステップ。ステップＳ１２６）。
【０１３７】
以上の後に、携帯型電話器４０ｃ等が、データセンタ側サーバ７０ａから送信された所定の受付完了情報を表示部１６０に表示する（受付完了情報表示ステップ。ステップＳ１２８）。
【０１３８】
図２２に示されるフローチャートでは、データ測定器ヘッダ判断ステップ（ステップＳ１１６）により測定データ情報が所定のヘッダを有していると判断されなかった場合、処理は終了させていた。しかし、この場合、送信データ情報送信ステップ（ステップＳ１１０）により送信された送信データ情報に含まれるデータ測定器６ｃ等の識別子に基づき所定のヘッダを作成し、当該所定のヘッダと当該送信データ情報に含まれる携帯型電話器４０ｃ等の電話番号とに基づき、サーバ側記録部８８に記録された対応する従前の測定データを特定することができる。
【０１３９】
図２２に示されるフローチャートでは、測定データ連続性判断ステップ（ステップＳ１２２）で所定の時間単位としての連続性が有ると判断されなかった場合、処理は終了させていた。しかし、この場合、実施例１の図１１に示されるフローチャートのように、改めて不連続箇所の測定データを要求することができる。
【０１４０】
以上より、本発明の実施例７によれば、データ伝送装置１０ｃ等がデータ測定器識別部１５の機能を備えることにより、データ測定器６ｃ等の製造メーカ、機種等が異なる場合であってもデータ測定器６ｃ等を識別して通信を行い、測定データを取り出すことができる。このため、データ伝送装置１０ｃ等はデータ測定器６ｃ等に対するメーカ、機種等依存性をなくすことができる。さらに、データ伝送装置１０ｃ等が送信データ情報作成部２１の機能を備えることにより、携帯型電話器４０ｃ等の電話番号に応じてアクセスポイントの電話番号を作成することができ、キャリヤに応じたアクセスポイントの電話番号を作成することができる。このため、データ伝送装置１０ｃ等は携帯型電話器４０ｃ等のキャリヤ依存性をなくすことができる。
【実施例８】
【０１４１】
上述の実施例７ではデータ伝送装置１０ｃ等と携帯型電話器４０ｃ等とを別々の装置として説明したが、データ伝送装置１０ｃ等と携帯型電話器４０ｃ等とを一つの情報端末装置（不図示）とすることもできる。この場合、データセンタ側サーバ７０等のサーバ側記録部８８は情報端末装置から送信された測定データを情報端末装置毎に記録する。情報端末装置は、データ測定器識別部１５と、測定データ情報取出部１７と、データセンタ側サーバ７０等のアクセスポイントの電話番号を作成する電話番号作成部（電話番号作成手段。不図示）とを備えている。さらに、送信データ情報作成部２１とほぼ同様の機能を有する、電話番号作成部により作成されたデータセンタ側サーバ７０等のアクセスポイントの電話番号と、記測定データ情報取出部１８により取り出された測定データ情報と、情報端末装置の識別子及び所定のパスワードとを含む送信データ情報を作成する別の送信データ情報作成部（不図示）を備えている。加えて、上述の実施例１等では携帯型電話器４０ｃ等が備えていた、当該送信データ情報作成部により作成された送信データ情報に所定の変換を施して、送信データ情報に含まれるデータセンタ側サーバ７０等のアクセスポイントの電話番号を用いることによりネットワーク６０等を介してデータセンタ側サーバ７０等へ送信する送信データ情報送信部５１と、データセンタ側サーバ７０等から送信された所定の受付完了情報を表示部に表示する受付完了情報表示部４４とを備えている。上述の送信データ情報は情報端末装置の記録部（不図示）に記録されている。情報端末装置は、所定の受付完了情報を受信し当該所定の受付完了情報を表示部に表示した後、自動的に上述の記録部に記録された送信データ情報を消去することができる。あるいは情報端末装置に「自動的に消去」か「選択的に消去」かを切替える切替ボタン（不図示）を設けておくこともできる。当該切替ボタンにより「自動的に消去」へ切替えられている場合は自動的に送信データ情報を消去し、「選択的に消去」へ切替えられている場合は、情報端末装置の表示部に送信データ情報を消去するか否かを表示してユーザＡ（１）等の入力を促し、当該入力に応じて消去するか否かを決定するようにしてもよい。切替ボタンを用いる替わりに情報端末装置に設定機能を設け、当該設定機能により表示部に「自動的に消去」か「選択的に消去」かを表示してユーザＡ（１）等に予め選択させておいてもよい。
【０１４２】
データセンタ側サーバ７０等の測定データ特定部８１は、データ測定器ヘッダ判断部７７により測定データ情報が所定のヘッダを有していると判断された場合、送信データ情報送信部５１により送信された送信データ情報に基づき得られた情報端末装置の電話番号と所定のヘッダとに基づき、サーバ側記録部８８に記録された対応する従前の測定データを特定する。受付完了情報送信部７６ａは、測定データ連続性判断部７４ａで所定の時間単位としての連続性が有ると判断された場合、所定の受付完了情報をネットワーク６０等を介して情報端末装置へ送信する。
【実施例９】
【０１４３】
上述の実施例１等では、電話番号受信部１９が携帯型電話器４０ｃ等から受信した電話番号に基づき送信データ情報作成部２１がデータセンタ側サーバ７０等のアクセスポイントの電話番号を作成した。これに替えて、データ伝送装置１０ｃ等と携帯型電話器４０ｃ等との接続形態、例えば接続した際に用いるピンの種類等に基づき、データセンタ側サーバ７０等のアクセスポイントの電話番号を作成することもできる（電話番号作成部）。さらに、個人の識別を携帯型電話器４０ｃ等の電話番号ではなく、当該個人が使用するデータ伝送装置１０ｃ等の識別子により行なってもよい。家族で１台のデータ伝送装置１０ｃ等を使用するような場合には、予め家族の構成員の識別子を伝送装置１０ｃ等またはデータ測定器６ｃ等に入力しておき、当該識別子をデータセンタ側サーバ７０等へ送る送信データ情報に含ませておけばよい。
【実施例１０】
【０１４４】
上述の各実施例において、データ伝送装置１０ａ等または情報端末装置は、所定の受付完了情報を受信し当該所定の受付完了情報を表示部に表示した後、接続されたデータ測定器６ａ等の測定器記録部７ａ等に記録された測定データを自動的に消去することもできる。この場合も、データ伝送装置１０ａ等または情報端末装置に「自動的に消去」か「選択的に消去」かを切替える切替ボタン（不図示）を設けておくこともできる。当該切替ボタンにより「自動的に消去」へ切替えられている場合は自動的に測定データを消去し、「選択的に消去」へ切替えられている場合は、携帯型電話器４０の表示部１６０または情報端末装置の表示部に測定データを消去するか否かを表示してユーザＡ（１）等の入力を促し、当該入力に応じて消去するか否かを決定するようにしてもよい。切替ボタンを用いる替わりに、データ伝送装置１０ａ等または情報端末装置に設定機能を設け、当該設定機能により表示部に「自動的に消去」か「選択的に消去」かを表示してユーザＡ（１）等に予め選択させておいてもよい。
【産業上の利用可能性】
【０１４５】
本発明の活用例として、体重体脂肪計、婦人体温計、血糖値計、歩数計等の医療用データ測定器に適用することにより、医療機関から遠方にいる人々を対象とした生活習慣病等の診断に必要な医療用データをデータセンタ側サーバに集積することができる。医療機関の医師がデータセンタ側サーバに集積された各個人の医療用データを診断することにより、医療機関から遠方にいる人々を対象とした生活習慣病等の予防のための生活指導等を容易に行なうことができる。
【図面の簡単な説明】
【０１４６】
【図１】本発明の実施例１における測定データ管理システムの概略を示す図である。
【図２】本発明のデータ伝送装置１０ａ等の機能を示すブロック図である。
【図３】本発明の測定データ管理システムにおける携帯型電話器４０ａ等の機能を示すブロック図である。
【図４】本発明の測定データ管理システムにおけるデータセンタ側サーバ７０の機能を示すブロック図である。
【図５】測定器側記録部７ａ等に記録されるデータ１００を例示する図である。
【図６】アクセス情報１１０（ＵＲＬ形式の場合）を例示する図である。
【図７】初回登録時を含む大データ量時における、測定器側記録部７ａ等、伝送装置側記録部３０およびサーバ側記録部８８間における測定データの流れを示す図である。
【図８】差分データ量が所定のデータ量以下である場合における、測定器側記録部７ａ等、伝送装置側記録部３０およびサーバ側記録部８８間における測定データの流れを示す図である。
【図９】差分データの内、最後の測定日の測定データが電波状態の不良等の原因によりサーバ側記録部８８へ送信されなかった場合における、測定器側記録部７ａ等、伝送装置側記録部３０およびサーバ側記録部８８間における測定データの流れを示す図である。
【図１０】本発明の測定データ管理方法およびデータ伝送プログラムの処理の流れを示すフローチャートである。
【図１１】本発明の測定データ管理方法およびデータ伝送プログラムの処理の流れを示すフローチャートである。
【図１２】本発明の実施例３におけるデータセンタ側サーバ７０へのアクセス方式の概略を示す図である。
【図１３】データセンタ側サーバ７０に設けられたウェブ・サイトへのアクセス方法を示すフローチャートである。
【図１４】本発明のデータ伝送装置１０ａ等と、携帯型電話器４０ａ等およびデータ測定器６ａ等との間の接続関係を示す図である。
【図１５】本発明のデータ伝送装置１０ａ等と、携帯型電話器４０ａ等およびデータ測定器６ａ等との間の接続関係を示す図である。
【図１６】本発明のコンピュータ・プログラムを実行するコンテンツ作成サーバ２のコンピュータまたはユーザ端末２０側のコンピュータの内部回路を示すブロック図である。
【図１７】従来の体重データおよび体脂肪量データの記録および出力を説明する概略図である。
【図１８】本発明の実施例７における測定データ管理システムの概略を示す図である。
【図１９】本発明の実施例７におけるデータ伝送装置１０ｃ等の機能を示すブロック図である。
【図２０】本発明の実施例７における携帯型電話器４０ｃ等の機能を示すブロック図である。
【図２１】本発明の実施例７におけるデータセンタ側サーバ７０ａの機能を示すブロック図である。
【図２２】本発明の実施例７における測定データ管理方法およびデータ伝送プログラムの処理の流れを示すフローチャートである。
【符号の説明】
【０１４７】
１  ユーザＡ、  ２  ユーザＢ、  ５ａ，５ｂ  体重体脂肪計、  ６ａ，６ｂ，６ｃ，６ｄ  データ測定器、  ７ａ，７ｂ，７ｃ，７ｄ  測定器側記録部、  ８ａ，８ｂ．８ｃ，８ｄ  接続ケーブル、  ９ｃ，９ｄ  ステレオジャック、  １０ａ，１０ｂ，１０ｃ，１０ｄ  データ伝送装置、  １１  伝送装置識別子転送部、  １２  測定データ取出部、  １３  データセンタ側サーバ識別子記録部、  １４，８３  差分データ抽出部、  １５  データ測定器識別部、  １６  データ量判断部、  １７  測定データ情報取出部、  １８  アクセス情報作成部、  １９  電話番号受信部、  ２１  送信データ情報作成部、  ２０  アクセス情報転送部、  ２２  大データ量時アクセス情報作成部、  ２３  送信データ情報転送部、  ２４  大データ量時アクセス情報転送部、  ２６  大データ量時測定データ転送部、  ２８  データ不連続時測定データ転送部、  ３２  基地局、  ３４  通信センタ、  ３６  パケット通信網、  ３８，６２，１５２  ルータ、  ４０ａ，４０ｂ，４０ｃ，４０ｄ  携帯型電話器、  ４１  伝送装置識別子送信部、  ４２  アクセス情報送信部、  ４３  転送部、  ４４  受付完了情報表示部、  ４６  大データ量時アクセス情報送信部、  ４８  大データ量時入力画面情報表示部、  ５０  大データ量時測定データ送信部、  ５１  送信データ情報送信部、  ５２  大データ量時測定データ受付完了情報表示部、  ５４  データ不連続時入力画面情報表示部、  ５６  データ不連続時測定データ送信部、  ５８  データ不連続時測定データ受付完了情報表示部、  ６０  インターネット、６４  メディカル・データセンタ、  ７０，７０ａ  データセンタ側サーバ、  ７２  認証部、  ７４，７４ａ  測定データ連続性判断部、  ７６，７６ａ  受付完了情報送信部、  ７７  測定器ヘッダ判断部、  ７８  大データ量時認証部、  ８０  大データ量時入力画面情報送信部、  ８１  測定データ特定部、  ８２  大データ量時測定データ受付完了情報送信部、  ８４  データ不連続時入力画面情報送信部、  ８５  測定データ更新部、  ８６  データ不連続時測定データ受付完了情報送信部、  ８８  サーバ側記録部、  １００  測定器側記録部７ａ等に記録されるデータ、  １０２  ユーザＩＤ、  １０４  測定データを測定した所定の時間単位の数、  １０６  所定の時間単位の最初の測定データ、  １０８  所定の時間単位の最後の測定データ、  １１０  アクセス情報、  １１２  ＵＲＬのスキームの指定等、  １１４  ＵＲＬのホスト名、  １１６  シリアル番号、  １１８  サービスＩＤ、  １２０  データ識別番号、  １２２  パスワード、  １２６  チェックデジット、  １２８  フラグ、  １５０  アクセス・サーバ、  １５４  対応表部、  １５６  検索部、  １５８  データセンタ側サーバ識別子送信部、  １６０  表示部、  １６２  テンキー部、  １６４，１８０，１８８，２００，２０２  接続部、  １８４  窪み、  １８６  制御入力ボタン、  ２０４  機能ボタン、  ２０６  簡易表示部、  ２１０  内部回路、  ２１１  ＣＰＵ、  ２１２  ＲＯＭ、  ２１３  ＥＥＰＲＯＭ、  ２１４  ＲＡＭ、  ２１５  バス、  ２１７  制御入力Ｉ／Ｆ部、  ２１８，２１９  外部Ｉ／Ｆ部、  ２３０  ＰＣ、  ２３２  出力装置。
【図１】
2005039782.tif 000003
【図２】
2005039782.tif 000004
【図３】
2005039782.tif 000005
【図４】
2005039782.tif 000006
【図５】
2005039782.tif 000007
【図６】
2005039782.tif 000008
【図７】
2005039782.tif 000009
【図８】
2005039782.tif 000010
【図９】
2005039782.tif 000011
【図１０】
2005039782.tif 000012
【図１１】
2005039782.tif 000013
【図１２】
2005039782.tif 000014
【図１３】
2005039782.tif 000015
【図１４】
2005039782.tif 000016
【図１５】
2005039782.tif 000017
【図１６】
2005039782.tif 000018
【図１７】
2005039782.tif 000019
【図１８】
2005039782.tif 000020
【図１９】
2005039782.tif 000021
【図２０】
2005039782.tif 000022
【図２１】
2005039782.tif 000023
【図２２】
2005039782.tif 000024